(57)【特許請求の範囲】
【請求項１】
製作物（１０４）に塗装するため、
内部で製作物（１０４）に塗料で塗装することのできる塗装ブース（１０２）と、
塗装すべきその製作物（１０４）を移送方向（１１０）に移送して前記塗装ブース（１０２）を通過させることのできる移送装置（１０８）と、
前記塗装ブース（１０２）の中で塗料オーバースプレーを吸収された状態でその塗装ブース（１０２）を去る粗ガス流をクリーンにするため、その粗ガス流から塗料オーバースプレーを分離する少なくとも２つのフィルタ装置（１２４）と、それら２つのフィルタ装置（１２４）を用いて粗ガス流をクリーニングすることによって得られるクリーンなガス流のための少なくとも２つのクリーン・ガス・ライン（１６０）とを有する分離及び／又はフィルタ・システム（１０６）を備える塗装設備において、
前記分離及び／又はフィルタ・システム（１０６）が、少なくとも１つのクリーン・ガス回収チャネル（１７０）を備えていて、この分離及び／又はフィルタ・システム（１０６）の前記少なくとも２つのクリーン・ガス・ライン（１６０）がその少なくとも１つのクリーン・ガス回収チャネル（１７０）へと通じており、前記少なくとも１つのクリーン・ガス回収チャネル（１７０）と、前記少なくとも２つのフィルタ装置（１２４）が、前記塗装ブース（１０２）の鉛直な長手方向中央面（１２６）に対して互いに反対側（１２８、１３０）に配置され、
前記分離及び／又はフィルタ・システム（１０６）が、粗ガス・シャフト（１１４）を横切る、及び／又は横断するクリーン・ガス・ライン（１６０）を備えていて、この塗装設備（１００）の動作中に粗ガス流が前記クリーン・ガス・ライン（１６０）のまわりを流れることを特徴とする塗装設備。
【請求項２】
前記分離及び／又はフィルタ・システム（１０６）が、少なくとも１つのクリーン・ガス・ライン（１６０）、及び／又は少なくとも１つのファン（１８２）、及び／又は少なくとも１つのコンディショニング装置（１７２）、及び／又は少なくとも１つのクリーン・ガス回収チャネル（１７０）を備えていて、これらが前記塗装ブース（１０２）の下方でその塗装ブース（１０２）の鉛直方向射影部の内側に配置されていることを特徴とする、請求項１に記載の塗装設備。
【請求項３】
前記分離及び／又はフィルタ・システム（１０６）が、前記移送方向（１１０）に垂直に走る水平方向に対して前記塗装ブース（１０２）の実質的に中央下方に配置された少なくとも１つの粗ガス・シャフト（１１４）を備えることを特徴とする、請求項１又は２に記載の塗装設備。
【請求項４】
前記分離及び／又はフィルタ・システム（１０６）が、粗ガス・シャフト（１１４）の下方に少なくとも一部が配置された少なくとも１つのクリーン・ガス・ライン（１６０）を備えることを特徴とする、請求項１〜３のいずれか１項に記載の塗装設備。
【請求項５】
少なくとも１つの流れガイド装置（１５６）の少なくとも１つの流れ要素（１５８）により、フィルタ装置（１２４）の粗ガス室（１３６）の中に流入する前記粗ガス流の速度が増大することを特徴とする、請求項１〜４のいずれか１項に記載の塗装設備。
【請求項６】
少なくとも１つのクリーン・ガス・ライン（１６０）の少なくとも一部が少なくとも１つのフィルタ装置（１２４）の外側輪郭線（１６３）の内側にあることを特徴とする、請求項１〜５のいずれか１項に記載の塗装設備。
【請求項７】
前記分離及び／又はフィルタ・システム（１０６）が、少なくとも１つのフィルタ・モジュール（１８４）を備えていて、そのフィルタ・モジュールが、少なくとも１つのフィルタ装置（１２４）、及び／又は少なくとも１つのクリーン・ガス・ライン（１６０）、及び／又は少なくとも１つのコンディショニング装置（１７２）、及び／又は少なくとも１つのファン（１８２）を備えることを特徴とする、請求項１〜６のいずれか１項に記載の塗装設備。
【請求項８】
オーバースプレー粒子を含む粗ガス流から塗料オーバースプレーを分離する少なくとも１つのフィルタ装置（１２４）が、
前記フィルタ装置（１２４）の粗ガス室（１３６）を規定していて、内部にそのフィルタ装置（１２４）の少なくとも１つのフィルタ要素が配置されたハウジング（１３４）と、
前記粗ガス流を前記フィルタ装置（１２４）の粗ガス室（１３６）の中に流入させるための少なくとも１つの入口チャネル（１２２）と、
予備フィルタ材料を前記粗ガス流の中に導入するための少なくとも１つの予備フィルタ材料導入機構（１４８）を備えており、
前記フィルタ装置（１２４）の少なくとも１つのクリーン・ガス・ライン（１６０）の少なくとも一部が、少なくとも１つのフィルタ装置（１２４）の外側輪郭線（１６３）の内側に配置されていて、
少なくとも１つの安全フィルタ（１７４）が少なくとも１つのクリーン・ガス・ライン（１６０）の中に設置されていることを特徴とする、請求項１〜７のいずれか１項に記載の塗装設備。
【請求項９】
前記少なくとも１つの予備フィルタ材料導入機構（１４８）が、予備フィルタ材料、及び／又は予備フィルタ材料とオーバースプレー粒子の混合物を機械で処理するための処理装置（１５０）を備えることを特徴とする、請求項８に記載の塗装設備。
【請求項１０】
前記少なくとも１つの予備フィルタ材料導入機構（１４８）が、前記粗ガス流の流れに影響を与えるための流れガイド装置（１５６）を備えていて、その流れガイド装置は、構成及び／又は配置及び／又は方向がさまざまである少なくとも１つの流れ要素（１５８c）を含んでいることを特徴とする、請求項８又は９に記載の塗装設備。
【請求項１１】
前記フィルタ装置（１２４）が制御装置（１９８）を備えていて、その制御装置により、前記少なくとも１つの予備フィルタ材料導入機構（１４８）の導入能力を制御及び／又は調節する構成であることを特徴とする、請求項８〜１０のいずれか１項に記載の塗装設備。
【請求項１２】
前記分離及び／又はフィルタ・システム（１０６）の少なくとも１つのフィルタ装置（１２４）が、そのフィルタ装置（１２４）の粗ガス室（１３６）の中に配置された少なくとも１つの流れガイド装置（１５６）を備えていて、その流れガイド装置により、前記粗ガス流に前記フィルタ装置（１２４）の少なくとも１つの入口チャネル（１２２）を通過させて前記粗ガス室（１３６）の中に流入させることを特徴とする、請求項１〜１１のいずれか１項に記載の塗装設備。
【請求項１３】
前記分離及び／又はフィルタ・システム（１０６）が、冷却装置（２３０）、及び／又は加湿装置（２３４）、及び／又は液滴分離装置（２３２）を含むコンディショニング装置（１７２）と、前記冷却装置（２３０）、及び／又は前記加湿装置（２３４）、及び／又は前記液滴分離装置（２３２）のための共通する液体取り扱いシステム（２４２）を備えることを特徴とする、請求項１〜１２のいずれか１項に記載の塗装設備。
【発明の詳細な説明】
【技術分野】
【０００１】
本発明は、製作物を塗装するための塗装設備に関する。
【背景技術】
【０００２】
塗装ブースの下方に配置された分離及び／又はフィルタ・システムを備える塗装設備が公知である（例えば、特許文献１参照。）。
【先行技術文献】
【特許文献】
【０００３】
【特許文献１】国際公開公報第２０１０／０６９４０７号
【発明の概要】
【発明が解決しようとする課題】
【０００４】
本発明は、上記のタイプの塗装設備として、コンパクトな構成であって、しかも粗ガス流からの塗料オーバースプレーを信頼性よく分離できるものを提供するという目的に基づいている。
【課題を解決するための手段】
【０００５】
この目的は、本発明に従う塗装設備によって達成される。この塗装設備は、内部で製作物に塗料で塗装することのできる塗装ブースと、塗装すべきその製作物を移送方向に移送して塗装ブースを通過させることのできる移送装置を備えている。さらに、この塗装設備は、塗装ブースの中で塗料オーバースプレーを吸収された状態でその塗装ブースを去る粗ガス流をクリーンにするため、その粗ガス流から塗料オーバースプレーを分離する少なくとも１つのフィルタ装置と、それら２つのフィルタ装置を用いて粗ガス流をクリーニングすることによって得られるクリーンなガス流のための少なくとも１つのクリーン・ガス・ラインとを有する分離及び／又はフィルタ・システムを備えている。
【０００６】
簡略化のため、分離及び／又はフィルタ・システムを今後は“フィルタ・システム”と呼ぶ。
【０００７】
本発明の一実施態様では、少なくとも１つのクリーン・ガス・ラインの少なくとも一部が、少なくとも１つのフィルタ装置の外側輪郭線の内側に配置されている。
【０００８】
フィルタ装置の外側輪郭線とは、この明細書と添付の図面では、移送方向に垂直な方向でのフィルタ装置の各断面を移送方向に沿って塗装設備の両端まで移動させるとき、これら断面の少なくとも１つが通過する空間領域の外側の境界を意味するものとする。
【０００９】
特に少なくとも１つのクリーン・ガス・ラインの少なくとも一部が少なくとも１つのフィルタ装置の外側輪郭線の内側に配置されているとき、フィルタ・システムはコンパクトな構成にすることができる。特に、どのクリーン・ガス・ラインもフィルタ・システムの横方向の境界壁から突起しないようにできる。
【００１０】
外側輪郭線を明らかにするための移送方向に沿った断面の移動は、移動するその断面が局所的な移送方向に対して常に垂直な方向を向いているようになされる。（曲線状の移送経路の場合に）移送方向が一定でないときには、その結果として断面は、塗装設備の端部まで移動する間にそれぞれの局所的な移送方向の軌跡に合わせて回転する。
【００１１】
したがって特に、フィルタ装置の境界壁の想像上の延長線が移送方向と少なくともほぼ平行に走っている場合には、クリーン・ガス・ラインは、少なくとも一部が、その延長された境界壁によって範囲を定められた空間領域の内側に配置される。
【００１２】
したがって上記の少なくとも１つのクリーン・ガス・ラインは、少なくとも一部が、少なくとも１つのフィルタ装置を移送方向に沿って水平な方向に投影した部分の中に配置されることが好ましい。
【００１３】
少なくとも１つのクリーン・ガス・ラインの外側境界壁のうちで塗装ブースの鉛直な長手方向中心面から遠い少なくとも１つの外側境界壁は、塗装ブースの鉛直な長手方向中心面から離れたフィルタ装置の外側境界壁と同じ距離離れているか、塗装ブースの鉛直な長手方向中心面から離れたフィルタ装置の外側境界壁よりも少ない距離離れていることが好ましい。
【００１４】
クリーンなガス流は、少なくともほぼ鉛直方向を向いた少なくとも１つのクリーン・ガス・ラインによって少なくとも１つのフィルタ装置に沿って少なくともほぼ鉛直方向下方にガイドできることが好ましい。
【００１５】
特にフィルタ・システムが、移送方向に沿って互いに前後に配置された複数のフィルタ装置を備えている場合には、少なくとも１つのクリーン・ガス・ラインを移送方向に沿って互いに前後に配置された２つのフィルタ装置の間に配置することができる。
【００１６】
少なくとも１つのフィルタ装置を再生可能なフィルタ装置の構成にすることが好ましい。
【００１７】
再生可能なフィルタ装置とは、塗装ブースをガイドされて通過するガス流から不純物を分離して（特にオーバースプレー粒子を含むガス流から塗料オーバースプレーを分離して）、フィルタ装置のフィルタ要素を交換する必要なく、分離されたその不純物を除去できる分離装置を意味するものとする。
【００１８】
本発明による再生可能なフィルタ装置（フィルタ配置）として、特に、１つ以上の乾燥フィルタ要素及び／又は乾燥分離装置を備えていて、フィルタ要素に液体を実質的に添加することなくガス流がクリーンにされるフィルタ装置も提供される。するとそれに合わせ、（通常の条件で）溶媒又はクリーニング剤を用いたその後の、又はその前のクリーニング段階を提供することができる。
【００１９】
さらに、再生可能なフィルタ装置において、そのフィルタ装置が、フィルタ動作中に、予備フィルタ材料（例えば氷河岩粉）を含む障壁層及び／又は保護層が設けられる少なくとも１つのフィルタ要素を備えているようにすることができる。
【００２０】
したがって、フィルタ装置に供給されるガス流からの不純物がフィルタ装置のフィルタ動作中に詰まることを回避できる。フィルタ装置のフィルタ要素からの障壁層又は保護層をクリーニングすることにより、フィルタ要素を特に容易に再生させることができる。するとそのフィルタ要素は、新鮮な障壁層又は新鮮な保護層を付着させることによって再利用できる。
【００２１】
塗料として粉末塗料又は流体塗料が特に考えられる。
【００２２】
この明細書では、液体状態からペースト状態までの流動可能なコンシステンシーを有する塗料（例えばPVC可塑性ゾルの場合）を、 “粉末塗料”とは対照的に“流体塗料”と名付ける。“流体塗料”という用語には、特に、“液体塗料”と“湿った塗料”が含まれる。
【００２３】
流体塗料を使用するとき、塗装ブースからの塗料オーバースプレーはしたがって流体塗料オーバースプレーであり、湿った塗料を使用するときには、その塗料オーバースプレーは湿った塗料オーバースプレーである。
【００２４】
本発明の一実施態様では、フィルタ・システムは、移送方向に垂直な方向に走る水平方向に対して塗装ブースの実質的に中央下方に配置された少なくとも１つの粗ガス・シャフトを備えている。
【００２５】
特に粗ガス・シャフトの流入開口部は、移送方向に垂直な方向に走る水平方向に対して塗装ブースの実質的に中央下方に配置することができる。
【００２６】
粗ガス・シャフトを用いて塗装ブースからのガス流をフィルタ・システムの少なくとも１つのフィルタ装置に供給することが好ましい。
【００２７】
塗装ブースからやって来るガス流をクリーンにするフィルタ・システムのフィルタ動作中、特に実質的に鉛直な方向の鉛直運動成分を持つガス流が粗ガス・シャフトを通って流れることが好ましい。
【００２８】
粗ガス・シャフトの下端はフィルタ・システムの少なくとも１つのフィルタ装置の少なくとも１つの入口チャネルに隣接していることが好ましい。
【００２９】
フィルタ・システムの少なくとも２つのフィルタ装置、好ましくは全てのフィルタ装置が塗装ブースの鉛直な長手方向中心面に対して粗ガス・シャフトの同じ側に配置されていると好ましかろう。
【００３０】
粗ガス・シャフトは、少なくとも１つのフィルタ装置の少なくとも１つのフィルタ要素の上方から延びること、及び／又は少なくとも１つのフィルタ装置の少なくとも１つのフィルタ要素の下方まで延びることが好ましかろう。
【００３１】
本発明の一実施態様では、フィルタ・システムは、少なくとも一部が空間的に粗ガス・シャフトの下方をガイドされる（特に粗ガス・シャフトの下に配置された）少なくとも１つのクリーン・ガス・ラインを備えている。したがって粗ガス流を、塗装ブースの鉛直な長手方向中心面の一方の側から反対側へと特に容易にガイドすることができる。特に、少なくとも１つのクリーン・ガス・ラインが、ぶつかることなく粗ガス・シャフトを横断することができる。
【００３２】
その代わりに、又はそれに加えて、少なくとも１つのクリーン・ガス・ラインの少なくとも一部を粗ガス・シャフトの上方でガイドし（特に粗ガス・シャフトの上方に配置し）、したがって粗ガス・シャフトを好ましくはその上方で横切るようにできる。
【００３３】
少なくとも１つのクリーン・ガス・ラインが粗ガス・シャフトの下方を延びていて、ここでは実質的に水平な方向に走っていること、及び／又は移送方向に対して特に実質的に垂直な横断方向に走っていることが好ましい。
【００３４】
さらに、少なくとも１つのクリーン・ガス・ラインの少なくとも一部を、少なくとも１つのフィルタ装置の下方及び／又は上方で、その少なくとも１つのフィルタ装置の鉛直方向射影部の内側に配置することができる。
【００３５】
少なくとも１つのクリーン・ガス・ラインの少なくとも一部が、少なくとも１つの予備フィルタ材料導入機構、及び／又は少なくとも１つの予備フィルタ材料収容容器、及び／又は少なくとも１つのフィルタ装置の少なくとも１つのハウジングの下方に（特に下に）されていると好ましかろう。
【００３６】
フィルタ・システムは、粗ガス・シャフトを横切る、及び／又は粗ガス・シャフトを横断するクリーン・ガス・ラインを備えることができる。
【００３７】
クリーン・ガス・ラインは、粗ガス・シャフトの内側に配置された部分を備えていて、さらに、粗ガス・シャフトの外側に配置されたさらに１つ以上の部分を備えていてもよい。
【００３８】
特に、フィルタ・システムは、粗ガス・シャフトの上端の領域に配置されていてその領域を横断するクリーン・ガス・ラインを備えることができる。
【００３９】
したがって粗ガスは、塗装設備の動作中にクリーン・ガス・ラインのまわりを流れることが好ましい。クリーン・ガス・ラインによってクリーンなガス流を塗装ブースの鉛直な長手方向中心面の一方の側から反対側へとガイドできることが好ましい。
【００４０】
しかし少なくとも１つのクリーン・ガス・ラインは、好ましくは塗装ブース基部の下方で、粗ガス・シャフトの下端と上端の間、又は粗ガス・シャフトの上方の別の地点に配置されていてもよかろう。
【００４１】
クリーン・ガス・ラインは、実質的に水平な方向及び／又は移送方向に対して特に実質的に垂直な横断方向に走っていることが好ましい。
【００４２】
フィルタ・システムが少なくとも１つのクリーン・ガス回収チャネルを備えていて、フィルタ・システムの少なくとも２つのクリーン・ガス・ラインがそのクリーン・ガス回収チャネルに通じていることが好ましかろう。するとクリーンなガスをガイドして離れるようにすることが、下流でクリーン・ガス回収チャネルに隣接する１つのラインだけを用いて特に容易にできる。
【００４３】
少なくとも１つのクリーン・ガス回収チャネルが移送方向と少なくともほぼ平行に延びていることが好ましい。
【００４４】
本発明の一実施態様では、少なくとも１つのクリーン・ガス回収チャネルと、フィルタ・システムの少なくとも２つのフィルタ装置が、塗装ブースの鉛直な長手方向中心面に対してフィルタ・システムの互いに反対側に配置されている。
【００４５】
特に、フィルタ・システムの少なくとも１つのクリーン・ガス回収チャネルを、特に移送方向に沿って延びる仕切り壁によって移送方向に沿って２つの領域、すなわち上流領域と下流領域に分割することができる。
【００４６】
少なくとも２つのクリーン・ガス・ラインが上流領域へと通じていることが好ましい。したがって上流領域は、クリーン・ガス回収チャネルの２つの領域の入口領域を形成している。
【００４７】
少なくとも２つのクリーン・ガス・ラインによってクリーン・ガス回収チャネルに供給されるクリーンなガス流の混合は、クリーン・ガス回収チャネルの上記２つの領域の入口領域ですでに起こることが好ましい。
【００４８】
本発明の一実施態様では、クリーン・ガス回収チャネルの下流領域が、クリーン・ガス回収チャネルの上記２つの領域の排出領域であり、その排出領域を利用してフィルタ・システムからクリーンなガスが排出される。その排出領域は、例えばクリーンなガス流を、塗装ブースに、及び／又は塗装設備から粗ガス流を除去する排出ガイド装置に（新たに）供給するための循環空気ガイド装置と流体で通じている。
【００４９】
クリーン・ガス回収チャネルの入口領域は、少なくとも１つのファンによってクリーン・ガス回収チャネルの排出領域と流体でつながっていることが好ましい。したがってクリーン・ガス回収チャネルの入口領域にあるガスをクリーン・ガス回収チャネルの排出領域に特に容易に供給することができる。
【００５０】
クリーン・ガス回収チャネルの入口領域の少なくとも一部が、好ましくは全部が、クリーン・ガス回収チャネルの排出領域の下方に（特に下に）配置されていると好ましかろう。
【００５１】
本発明の一実施態様では、少なくとも１つのファン（送風機）が、ガス・チャネルによって少なくとも１つのクリーン・ガス回収チャネルの仕切り壁に直接又は間接に接続されている。
【００５２】
少なくとも１つのファンが、組み立てられた状態の塗装設備が上に載った基部の上に配置されていて、ガス・チャネルがそのファンを仕切り壁に接続する構成にできると好ましかろう。
【００５３】
さらに、収容装置（フレーム）を有する少なくとも１つのファンを設置することができる。そのとき収容装置は基部の上に配置し、その少なくとも１つのファンは、収容装置の位置に、特に収容装置の上に配置する。ガス・チャネルを設けてファンを仕切り壁に接続することが好ましい。
【００５４】
少なくとも１つのファンが少なくとも１つのクリーン・ガス回収チャネルの仕切り壁に配置されていること、及び／又は仕切り壁と一体化していることが好ましかろう。したがってファンを仕切り壁に接続する追加のガス・チャネルはなくてもよい。
【００５５】
本発明のさらに別の一実施態様では、少なくとも１つのファンを収容装置の位置に、特に収容装置の上に配置する。収容装置は、特に、クリーン・ガス回収チャネルの仕切り壁の位置に、特に仕切り壁の上に配置され、少なくとも１つのガス・チャネルがその少なくとも１つのファンを仕切り壁に接続している。
【００５６】
フィルタ・システムは、少なくとも１つのガス流（特に少なくとも１つのクリーンなガス流）の状態を調節するための少なくとも１つのコンディショニング装置を備えることが好ましい。特に、コンディショニング装置は、加熱装置及び／又は冷却装置及び／又は加湿装置及び／又は脱湿装置の構成にすることができる。
【００５７】
少なくとも１つのコンディショニング装置は、フィルタ・システムのクリーン・ガス回収チャネルの中に配置されていること、又はガス流（特にクリーンなガス流）の流れ方向に対してフィルタ・システムのクリーン・ガス回収チャネルの前に配置されていることが好ましい。
【００５８】
フィルタ・システムは、ガス流を流すための少なくとも１つのファン、例えば少なくとも１つの軸流ファンを備えることが好ましい。
【００５９】
少なくとも１つのファンは、例えばクリーン・ガス・ラインの中に、したがってその少なくとも１つのクリーン・ガス・ラインが通じているフィルタ・システムのクリーン・ガス回収チャネルの前（ガス流の流れ方向に対して）に配置することができる。
【００６０】
その代わりに、又はそれに加えて、少なくとも１つのファンをガス流の流れ方向に対してクリーン・ガス・ライン及び／又はクリーン・ガス回収チャネルの下流に配置することができる。
【００６１】
少なくとも１つのファンは、駆動装置によって駆動することが可能な羽根車を備えることができる。
【００６２】
ファンの羽根車の回転軸は、塗装ブースの長手方向及び／又は塗装設備の移送方向に対して実質的に水平で横断する（好ましくは実質的に垂直な）方向を向けることができる。
【００６３】
羽根車の駆動装置は、塗装ブースの長手方向に垂直な向き、及び／又は移送方向に垂直な向きの横断方向で、ファンの横に、特に羽根車の横に来るように配置することができる。
【００６４】
羽根車の駆動装置は、少なくとも一部を、好ましくは実質的に全体を、塗装ブースの基部領域の外側、又は塗装ブースの基部面の鉛直方向射影部の外側に配置することができる。
【００６５】
しかしファンの羽根車の回転軸は異なる方向に向けてもよく、例えば塗装ブースの長手方向及び／又は移送方向に実質的に水平かつ実質的に平行にすることができる。さらに、羽根車の回転軸は、実質的に鉛直方向を向けてもよい。
【００６６】
羽根車の駆動装置は、塗装ブースの長手方向及び／又は移送方向でファンの前又は後ろに配置することができる。
【００６７】
羽根車の駆動装置は、ファンの鉛直方向下方又は上方に配置することもできる。
【００６８】
羽根車の駆動装置は、少なくとも一部を、好ましくは実質的に全体を、塗装ブースの基部領域の内側、又は塗装ブースの基部面の鉛直方向射影部の内側に配置することができる。
【００６９】
フィルタ・システムは、少なくとも１つのクリーン・ガス・ライン、及び／又は少なくとも１つのファン、及び／又は少なくとも１つのコンディショニング装置、及び／又は少なくとも１つのクリーン・ガス回収チャネルを備えていて、これらが塗装ブースの下方で塗装ブースの鉛直方向射影部の内側に配置されていることが好ましい。
【００７０】
フィルタ・システムは、少なくとも１つのフィルタ・モジュールを備えることが好ましい。このフィルタ・モジュールは、少なくとも１つの粗ガス・シャフトの少なくとも一部、及び／又は少なくとも１つのフィルタ装置、及び／又は少なくとも１つのクリーン・ガス・ライン、及び／又は少なくとも１つのコンディショニング装置、及び／又は少なくとも１つのクリーン・ガス回収チャネルの少なくとも一部、及び／又は少なくとも１つのファンを備えている。
【００７１】
フィルタ・モジュールはここでは構造ユニットであり、少なくとも一部が事前に組み立てられた、好ましくは完全に組み立てられた上記の構成要素を備えている。したがってフィルタ・モジュールは、塗装ブースの組み立て場所とは異なる場所で事前に組み立てること、又は完成させることができるため、組み立て場所に運んだ後に少ない組み立てコストで塗装設備の残りの構成要素と接続することができる。
【００７２】
フィルタ・システムは、少なくとも２つのフィルタ・モジュールを備えることが好ましい。
【００７３】
特にフィルタ・モジュールが少なくとも１つのクリーン・ガス回収チャネル及び／又は少なくとも１つの粗ガス・シャフトの少なくとも一部を含んでいるときには、その少なくとも１つのクリーン・ガス回収チャネル又はその少なくとも１つの粗ガス・シャフトは、複数のフィルタ・モジュールを塗装設備の移送装置の移送方向に沿って一列に配置し、その少なくとも１つのクリーン・ガス回収チャネル又はその少なくとも１つの粗ガス・シャフトの個々の部分を液体が漏れないように接続することによって完成させることができる。
【００７４】
少なくとも１つの安全フィルタ（監視フィルタ、緊急フィルタ）を少なくとも１つのクリーン・ガス・ライン及び／又はクリーン・ガス回収チャネルに設置し、フィルタ装置の損傷（例えばフィルタ装置のフィルタ要素の損傷）が起こったときにクリーンに保つべきフィルタ・システムの領域に予備フィルタ材料及び／又はオーバースプレー粒子が侵入するという望ましくない事態を回避できると好ましかろう。
【００７５】
本発明はさらに、塗装設備のフィルタ・システムで使用するフィルタ・モジュールに関するものであり、このフィルタ・モジュールは、少なくとも１つのフィルタ装置、及び／又は少なくとも１つのクリーン・ガス・ライン、及び／又は少なくとも１つのコンディショニング装置、及び／又は少なくとも１つの粗ガス・シャフト、及び／又は少なくとも１つのクリーン・ガス回収チャネル、及び／又は少なくとも１つのファンを備えている。
【００７６】
本発明は、粗ガス流から塗料オーバースプレーを特に信頼性よく分離できる塗装設備を提供するというさらに別の目的に基づいている。
【００７７】
この目的は、本発明に従い、塗装設備において、オーバースプレー粒子を含む粗ガス流から塗料オーバースプレーを分離する少なくとも１つのフィルタ装置が、
- フィルタ装置の粗ガス室を規定していて、内部にそのフィルタ装置の少なくとも１つのフィルタ要素が配置されたハウジングと、
粗ガス流をフィルタ装置の粗ガス室の中に流入させるための少なくとも１つの入口チャネルと、
予備フィルタ材料を粗ガス流の中に導入するための少なくとも１つの予備フィルタ材料導入機構を備えることによって達成される。
【００７８】
予備フィルタ材料を粗ガス流の中に導入するための少なくとも１つの予備フィルタ材料導入機構が設けられているため、予備フィルタ材料を粗ガス流に容易に供給することができる。そのため粗ガス流から塗料オーバースプレーを効率的かつ容易に分離することが可能である。そのため特に、予備材料を巻き上げるための空気圧縮装置をなくすことができる。
【００７９】
少なくとも１つのフィルタ装置の少なくとも１つの入口チャネルは、粗ガス流が水平方向に対して鋭角でガイドされて粗ガス室の中に入る構成にすることが好ましい。
【００８０】
少なくとも１つの予備フィルタ材料導入機構は、予備フィルタ材料、及び／又は予備フィルタ材料とオーバースプレー粒子の混合物を機械で処理するための処理装置を備えていると好ましかろう。
【００８１】
予備フィルタ材料、又は予備フィルタ材料とオーバースプレー粒子の混合物の“機械での処理”とは、処理装置が、予備フィルタ材料、又は予備フィルタ材料とオーバースプレー粒子の混合物と直接接触し、その予備フィルタ材料又は混合物を例えば移動させる、及び／又は移送する、及び／又は混合する、及び／又は粉砕する、及び／又は離散させることを意味するものとする。
【００８２】
処理装置は混合装置の構成にされていると好ましかろう。
【００８３】
特に、混合装置を用い、塗料オーバースプレーを含む予備フィルタ材料と、塗料オーバースプレーを含まないか少量含む予備フィルタ材料を混合することができる。
【００８４】
機械で処理するための少なくとも１つの処理装置は、例えばパドルの構成にされていて軸のまわりを回転できる少なくとも１つの処理要素を備えていることが好ましい。
【００８５】
少なくとも１つの処理装置は、予備フィルタ材料と塗料オーバースプレーの塊を破壊するのに使用されることが好ましい。
【００８６】
少なくとも１つの処理装置は、予備フィルタ材料を離散させるための少なくとも１つの離散要素を備えていることが好ましい。特にここでは、少なくとも１つの離散要素をパドル及び／又はスクープの構成にすることができる。
【００８７】
少なくとも１つの離散装置は、特に、予備フィルタ材料（又は予備フィルタ材料と塗料オーバースプレーの混合物）を内部で運動させ、１０％を超える割合の粒子（予備フィルタ材料の粒子及び／又はオーバースプレーの粒子、全質量及び／又は粒子数及び／又は全体積に基づく）が隣接する粒子に対して動くようにする。このようにすると、離散及び／又は混合及び／又は移送及び／又は破砕がなされる。最後のケースでは、少なくとも１つの離散要素が少なくとも１つの対応する離散要素と協働する。その少なくとも１つの離散要素とその少なくとも１つの対応する離散要素は、通常の動作中は異なる速度を持っていて、予備フィルタ材料をその少なくとも１つの離散要素とその少なくとも１つの対応する離散要素の間で機械処理できることが好ましい。
【００８８】
少なくとも１つの処理装置は、予備フィルタ材料を例えば塗装設備の移送装置の移送方向に平行な方向に移送するための少なくとも１つの移送装置を備えていることが好ましい。
【００８９】
さらに、少なくとも１つの処理装置は、例えば移送方向に水平に（特に、実質的に平行に）走る回転軸のまわりを回転できる少なくとも１つの処理要素を備えることができる。この処理要素は、例えば離散要素及び／又は混合要素及び／又は移送要素の構成にされている。
【００９０】
粗ガス室に供給される粗ガス流は、処理装置の回転軸に対して横断方向に（特に実質的に垂直に）流れて粗ガス室に入る方向を向いていることが好ましい。特に、粗ガス流は、少なくとも１つの処理装置の回転軸に実質的に垂直な方向を向くようにすることができる。
【００９１】
少なくとも１つの処理装置がフィルタ装置の除去装置（例えば予備フィルタ材料をフィルタ装置の粗ガス室から除去する除去用開口部）と協働することが好ましかろう。特に、この処理装置により、予備フィルタ材料、又は予備フィルタ材料とオーバースプレー粒子の混合物を除去用開口部に向けて移動させることができる。
【００９２】
その代わりに、又はそれに加えて、フィルタ装置の予備フィルタ材料収容容器の中の少なくとも１つの処理装置によって、予備フィルタ材料、又は予備フィルタ材料とオーバースプレー粒子の混合物の一様な分布を実現することができる。
【００９３】
少なくとも１つの予備フィルタ材料導入機構を少なくとも１つのフィルタ装置の予備フィルタ材料収容容器の中に配置することが好ましい。
【００９４】
本発明はさらに、粗ガス流の流れに影響を与えるため少なくとも１つの流れガイド装置が設けられたフィルタ・システムを備える塗装設備に関する。
【００９５】
本発明は、この点に関し、粗ガス流から塗料オーバースプレーを信頼性よく分離できるフィルタ・システムを備える塗装設備を提供するという目的に基づいている。
【００９６】
この目的は、本発明に従い、少なくとも１つの流れガイド装置が、流れに影響を与える少なくとも１つの要素を備えることによって達成される。
【００９７】
その結果として、粗ガス流に特にうまく影響を与えて粗ガス流から塗料オーバースプレーを信頼性よく分離することができる。
【００９８】
“流れに影響を与える要素”は、簡略化のため今後は“流れ要素”と呼ぶ。
【００９９】
本発明の一実施態様では、少なくとも１つの予備フィルタ材料導入機構は、粗ガス流の流れに影響を与える流れガイド装置を備えていて、この流れガイド装置には少なくとも１つの流れ要素が含まれている。
【０１００】
少なくとも１つの流れガイド装置が、構成及び／又は配置及び／又は方向を変えられる少なくとも１つの流れ要素を備えることが好ましかろう。すると粗ガス流を用いて予備フィルタ材料を離散させ、及び／又は巻き上げ、したがって予備フィルタ材料を粗ガス流の中に導入することができる。
【０１０１】
特に、少なくとも１つの可変流れ要素は、調節可能な、及び／又は軸回転可能な配置のガイド板の構成にすることができる。
【０１０２】
少なくとも１つの流れガイド装置は、少なくとも一部がフィルタ装置の少なくとも１つの入口チャネルに配置されていると好ましかろう。特に、少なくとも１つの流れガイド装置が入口チャネルの境界を形成するようにできる。
【０１０３】
少なくとも１つの流れガイド装置の少なくとも１つの流れ要素は、フィルタ装置の動作前及び／又は動作中及び／又は動作後に、構成及び／又は配置及び／又は方向を変えられることが好ましい。特に、少なくとも１つの流れ要素は、フィルタ装置によって粗ガス流をクリーンできるフィルタ動作の前及び／又は最中及び／又は後に、構成及び／又は配置及び／又は方向を変えられるようにすることができる。さらに、少なくとも１つの流れ要素は、フィルタ装置が、フィルタ装置の少なくとも１つのフィルタ要素をクリーンにできるクリーニング動作、すなわち予備フィルタ材料と塗料オーバースプレーを除去できるクリーニング動作を行なう前、及び／又は行なっている最中、及び／又は行なった後に、構成及び／又は配置及び／又は方向を変えられるようにすることができる。
【０１０４】
少なくとも１つの流れガイド装置の少なくとも１つの流れ要素は、さらに、フィルタ装置の始動前にあらかじめ調節できること、及び／又はフィルタ装置の動作中に（特にフィルタ動作中に）自動調節できる（特に自己調節式である）ことが好ましい。
【０１０５】
少なくとも１つの流れガイド装置の少なくとも１つの可変流れ要素は、フィルタ装置の動作中に（特にフィルタ装置のフィルタ動作中に）異なる流れ状態に自動的に適応するようにできると特に好ましかろう。
【０１０６】
少なくとも１つの流れガイド装置の少なくとも１つの可変流れ要素は、その設計のおかげで（特にその重量のおかげで）フィルタ装置の動作中に異なる流れ状態（特に粗ガス流の体積流）に自動的に適応できると好ましかろう。
【０１０７】
例えば、少なくとも１つの流れ要素の質量は、粗ガス流の流れ方向に垂直な方向で変化する入口チャネルの開口部の断面が、体積流に関して変化する粗ガス流によって入口チャネルで自動的に生じるように選択することができる。
【０１０８】
少なくとも１つの流れガイド装置の少なくとも１つの流れ要素は、粗ガス流が粗ガス室に流入する角度をその少なくとも１つの流れ要素によって調節できる構成であることが好ましい。
【０１０９】
少なくとも１つの流れガイド装置の少なくとも１つの流れ要素によって粗ガス室に流入する粗ガス流の速度に影響を与えられる（特に速度を大きくできる）と好ましかろう。ガス流の速度とは、ここでは、例えば渦から生じる局所的な速度差を無視したガス流の平均速度を意味するものとする。
【０１１０】
特にここでは、少なくとも１つの流れガイド装置の少なくとも１つの流れ要素により、少なくとも１つのフィルタ装置の少なくとも１つの入口チャネルに流入する粗ガス流の速度に影響を与え、フィルタ・システムの少なくとも１つの粗ガス・シャフトに流入する粗ガス流の速度と比べて特に速度を大きくすることができる。
【０１１１】
少なくとも１つの粗ガス・シャフトの中をガイドされて通過する粗ガス流は、少なくとも１つの流れガイド装置によって、及び／又は少なくとも１つのフィルタ装置の少なくとも１つの入口チャネルによって、特に塗装ブースの鉛直な長手方向中心面の一方の側にだけ非対称に離れる、又は偏向すると好ましかろう。
【０１１２】
粗ガス室に導入される粗ガス流が少なくとも１つの流れガイド装置によって少なくとも１つのフィルタ装置の少なくとも１つの予備フィルタ材料収容容器の中に直接に向かうと好ましかろう。その結果として予備フィルタ材料が粗ガス流によって巻き上げられる、及び／又は粗ガス流に取り込まれると好ましかろう。
【０１１３】
予備フィルタ材料とオーバースプレー粒子を含む粗ガス流は、鉛直運動成分を持って例えば実質的に鉛直方向上方に偏向すること、及び／又は実質的に鉛直方向上方に、すなわち鉛直方向上向きの成分を持って流れて少なくとも１つのフィルタ装置の少なくとも１つのフィルタ要素に供給されることが好ましい。
【０１１４】
少なくとも１つの流れガイド装置の少なくとも１つの可変流れ要素を使用することで、粗ガス室に導入される粗ガス流を特定のやり方で少なくとも１つのフィルタ装置の少なくとも１つの予備フィルタ材料収容容器に供給できるという利点が提供されることが好ましい。
【０１１５】
本発明の一実施態様では、少なくとも１つの流れ要素をガイド板の構成にする。すると粗ガス流を特定のやり方で所定の方向にガイドすることができる。
【０１１６】
少なくとも１つの流れ要素を手で調節し、好ましい環状位置に固定できることが好ましかろう。
【０１１７】
その代わりに、又はそれに加えて、少なくとも１つの流れ要素を自己調節式流れ要素の構成にすることができる。その場合には、例えば、その少なくとも１つの流れ要素が小さな質量を持っていて、粗ガス流がフィルタ装置に供給されていないときには重力によって少なくとも１つのフィルタ装置の少なくとも１つの入口チャネルを閉じるようにすることができる。すると、特に予備フィルタ材料がフィルタ装置から逃げ出し、粗ガス流の流れ方向に逆らって塗装ブースに戻ることが、その少なくとも１つの流れ要素によって阻止される。
【０１１８】
少なくとも１つの流れガイド装置の少なくとも１つの流れ要素は、その目的で、鉛直方向を横断する方向、特に鉛直方向に実質的に垂直な方向を向いた軸のまわりを回転できる配置であることが好ましい。
【０１１９】
少なくとも１つの流れガイド装置の少なくとも１つの流れ要素の質量は、粗ガス流が閉じた状態から開いた状態になって少なくとも１つのフィルタ装置の粗ガス室の中に粗ガス流が流入することによってその少なくとも１つの流れ要素が移動できるように選択することが好ましい。
【０１２０】
少なくとも１つの流れ要素の質量（自重）から生じる逆圧は、粗ガス流が及ぼす圧力によってバランスさせることが好ましい。
【０１２１】
粗ガス流が少なくとも１つの流れガイド装置の少なくとも１つの流れ要素に及ぼす圧力は、粗ガス流の体積流に比例することが好ましい。
【０１２２】
少なくとも１つのフィルタ装置の少なくとも１つの入口チャネルの断面は、粗ガス流の体積流に応じ、特に可変流れ要素によって好ましくは自動的に調節できることが好ましい。
【０１２３】
特に、粗ガス流の体積流に応じ、粗ガス流が少なくとも１つのフィルタ装置の少なくとも１つの粗ガス室に流入する流入角を少なくとも１つの可変流れ要素によって自動的に調節することができる。したがって、粗ガス流によって巻き上げられて粗ガス流に取り込まれる予備フィルタ材料の量を自動的に調節することができる。
【０１２４】
少なくとも１つの流れガイド装置の少なくとも２つの流れ要素が設けられていて、少なくとも１つのフィルタ装置の少なくとも１つの入口チャネルの互いに向かい合った境界壁を形成していることが好ましい。このようにすると、入口チャネルを通って粗ガス室に流入する粗ガス流に特定のやり方で影響を与えることができる。
【０１２５】
特に、少なくとも１つのフィルタ装置の少なくとも１つの入口チャネルを鉛直方向に制限する少なくとも２つの可変流れ要素を設けることができる。少なくとも１つの流れガイド装置の少なくとも２つの流れ要素の相対位置を互いに対して調節できると好ましかろう。
【０１２６】
特に、少なくとも１つの流れ要素を少なくとも１つの別の流れ要素に対して変位可能に、及び／又は回転可能に配置することができる。
【０１２７】
本発明の一実施態様では、少なくとも１つの流れガイド装置の複数の流れ要素を塗装設備の移送装置の移送方向に沿って隣り合って配置し、互いに独立に調節できるようにする。そのためその少なくとも１つの流れガイド装置、したがって１つのフィルタ装置を、体積流が移送方向に沿って変化する異なる粗ガス流に合わせることができる。したがって特に、体積流が異なる場合でさえ、粗ガス流がフィルタ装置に流入するとき、予備フィルタ材料の望ましい最少量を少なくともその粗ガス流に取り込むことが常に可能になる。
【０１２８】
さらに、少なくとも１つの流れガイド装置の少なくとも１つの流れ要素は、水平方向に変位可能に配置することができる。したがって少なくとも１つのフィルタ装置の少なくとも１つの入口チャネルをガイドされて通過する粗ガス流を特定のやり方で粗ガス室のさまざまな領域、すなわちフィルタ装置の内部にあってフィルタ動作中に粗ガス流が存在するさまざまな領域（特にフィルタ装置の予備フィルタ材料収容容器のさまざまな領域）に供給することができる。
【０１２９】
少なくとも１つの流れガイド装置は、その流れガイド装置によって粗ガス流がフィルタ装置に供給され、粗ガス流がフィルタ装置の処理装置の上方を流れて、及び／又はその処理装置の表面に向けられてそのフィルタ装置の粗ガス室の中に入る構成にされていることが好ましい。
【０１３０】
本発明のさらに別の一実施態様では、少なくとも１つの流れガイド装置の少なくとも１つの流れ要素は、駆動装置（例えばモータで制御される駆動装置）によって回転可能に、及び／又は水平方向に移動可能に、及び／又は鉛直方向に移動可能にすることができる。
【０１３１】
少なくとも１つのフィルタ装置の動作モード（例えば少なくとも１つのフィルタ装置をクリーンにするクリーニング動作、又は例えば火災警報が出された場合の危険状態）に応じ、少なくとも１つの流れ要素の方向及び／又は位置の具体的な調節を少なくとも１つの流れガイド装置によって自動的に行なう構成にできることが好ましかろう。したがって少なくとも１つの流れ要素は、安全装置（例えば火災保護要素）として使用することができる。
【０１３２】
本発明の一実施態様では、予備フィルタ材料導入機構は、その少なくとも１つの予備フィルタ材料導入機構の導入能力を制御及び／又は規制する制御装置を備えることができる。
【０１３３】
予備フィルタ材料導入機構の導入能力とは、この明細書と添付の図面では、予備フィルタ材料導入機構によって所定のときに粗ガス流の中に導入することのできる予備フィルタ材料の量の１つの指標を意味するものとする。
【０１３４】
予備フィルタ材料導入機構の導入能力を制御装置によって制御及び／又は規制することで、粗ガス流の中に導入された予備フィルタ材料が粗ガス流からオーバースプレー粒子を吸収する能力が少なくともほぼ一定になるようにすることが好ましかろう。
【０１３５】
導入される予備フィルタ材料の量は、予備フィルタ材料の具体的な吸収能力に合わせて制御及び／又は規制できると好ましかろう。そのときの具体的な吸収能力は、所定量の予備フィルタ材料がどれだけの量の塗料オーバースプレーを吸収できるかを表わす。したがって具体的な吸収能力は、予備フィルタ材料による塗料オーバースプレーの包含状態に依存して変化する。特に、具体的な吸収能力は、フィルタ装置の動作期間が長くなるにつれて減少する。
【０１３６】
その代わりに、又はそれに加えて、具体的な吸収能力は、処理装置によって（例えば予備フィルタ材料の制御及び／又は規制された定期的交換によって、及び／又は混合プロセス及び／又は粉砕プロセスの制御及び／又は規制によって）制御及び／又は規制することができる。したがって粗ガス流の中に導入された予備フィルタ材料がその粗ガス流からオーバースプレー粒子を吸収する能力は、特に予備フィルタ材料導入機構が一定の導入能力を有する場合に、少なくともほぼ一定に維持することができる。
【０１３７】
さらに、導入能力の制御及び／又は規制は、制御装置により、予備フィルタ材料による包含状態に応じて、及び／又は予備フィルタ材料収容容器に含まれる予備フィルタ材料の量に応じて、及び／又は予備フィルタ材料収容容器に含まれる予備フィルタ材料の質量に応じて、及び／又は入口チャネルにおける粗ガス流の流速に応じて、及び／又は粗ガス室とクリーン・ガス・ラインの間の圧力差に応じて、及び／又はオーバースプレー粒子による粗ガス流の汚染度に応じて実施することができる。
【０１３８】
特に、予備フィルタ材料導入機構の導入能力は、少なくとも１つの流れ要素を調節することによって制御及び／又は規制する構成にできる。特に、その目的で、少なくとも１つの流れ要素の位置及び／又は角度位置を調節、及び／又は制御、及び／又は規制することができる。
【０１３９】
その代わりに、又はそれに加えて、予備フィルタ材料、及び／又は予備フィルタ材料とオーバースプレー粒子の混合物を機械処理するための少なくとも１つの処理装置により、導入能力を調節できるようにすること、特に制御及び／又は規制する構成にすることがさらに可能である。特に、少なくとも１つの処理装置の回転（処理）要素の回転速度を調節できるようにして（特に制御及び／又は規制する構成にして）、導入能力を制御及び／又は規制することができる。
【０１４０】
フィルタ・システムの少なくとも１つのフィルタ装置が、そのフィルタ装置の粗ガス室の中に配置された少なくとも１つの流れガイド装置を備えていて、その流れガイド装置により、そのフィルタ装置の少なくとも１つの入口チャネルを通って粗ガス室に流入する粗ガス流に影響が及ぶ構成にできることが好ましかろう。このようにすると、粗ガス流を特定のやり方で少なくとも１つのフィルタ装置の少なくとも１つのフィルタ要素に供給し、粗ガス流からオーバースプレー粒子をうまく分離することができる。
【０１４１】
少なくとも１つの流れガイド装置は、その目的で、少なくとも１つのフィルタ装置の境界壁とは異なる少なくとも１つの要素（例えば流れ要素、特に可変流れ要素）を備えていることが好ましい。
【０１４２】
フィルタ装置の少なくとも１つの入口チャネルを通って流れる粗ガス流を少なくとも１つの流れガイド装置によって少なくとも１つのフィルタ装置の少なくとも１つのフィルタ要素に向けて偏向させることができると好ましかろう。
【０１４３】
さらに、フィルタ装置の少なくとも１つの入口チャネルを通って粗ガス室に流入する粗ガス流は、少なくとも１つの流れガイド装置によって巻き上げることができる。したがって粗ガス室の中で乱流を得ることができるため、オーバースプレー粒子と予備フィルタ材料の粒子をよりよく混合し、したがって粗ガス流からオーバースプレー粒子をよりよく分離することができる。
【０１４４】
特に粗ガス室に供給される粗ガス流を少なくとも１つの流れガイド装置によって巻き上げることができるときには、少なくとも１つの流れガイド装置は、例えば拡散装置の構成にされた少なくとも１つの流れ要素を備えることができる。特に、ロッド形の少なくとも１つの流れ要素を提供することができる。
【０１４５】
さらに、少なくとも１つの流れガイド装置は、例えばガイド板の構成にされた少なくとも１つの流れ要素を備えることができる。このガイド板により、粗ガス室の中で粗ガス流の好ましい流れを乱すフィルタ装置の突起及び／又はそれ以外の点の間に橋を架けることができる。
【０１４６】
少なくとも１つの流れガイド装置の少なくとも１つの流れ要素に開口部が設けられていて、フィルタ装置のフィルタ動作中に予備フィルタ材料がその開口部を通過できると好ましかろう。このようにすると、粗ガス室に面しているあらゆる面に予備フィルタ材料を付着させることができるため、これらの面を塗料オーバースプレーによる望ましくない汚染から信頼性よく保護することができる。
【０１４７】
さらに、ガイド板の構成にされた少なくとも１つの流れ要素は、複数の開口部を有すること、及び／又は拡散装置として機能することが好ましかろう。
【０１４８】
拡散装置とは、この明細書と添付の図面では、特に、その拡散装置に沿ってガイドされる流れの巻き上げを促進する要素を意味するものとする。特に、拡散装置は、層流を巻き上げることのできる要素を意味してもよい。この場合には渦流が発生する。
【０１４９】
本発明の一実施態様では、少なくとも１つの流れガイド装置の少なくとも１つの流れ要素を、フィルタ装置の動作中は実質的に層流が優勢である粗ガス室の層領域に特に固定して配置する、及び／又はフィルタ装置の動作中に渦流が優勢であるか渦流が生成するフィルタ装置の粗ガス室の乱流領域の中に延ばす。
【０１５０】
少なくとも１つの流れガイド装置の少なくとも１つの流れ要素を利用することにより、特に、オーバースプレー粒子を含む粗ガス流が実質的に一様に流れて少なくとも１つのフィルタ装置の少なくとも１つのフィルタ要素にぶつかることができるという利点が得られる。さらに、こうすることで、粗ガス室の中に予備フィルタ材料が蓄積するという望ましくない事態を減らすこと、特に完全に回避することができる。
【０１５１】
本発明の一実施態様では、塗装設備、特に塗装設備のフィルタ・システムは、冷却装置及び／又は加湿装置及び／又は液滴分離装置を含むコンディショニング装置を備えている。さらに、コンディショニング装置は、冷却装置、及び／又は加湿装置、及び／又は液滴分離装置のための特に共有の１つの液体取り扱いシステムを備えることが好ましい。したがってコンディショニング装置の中をガイドされて通過するガス流は、特に効果的に冷却及び／又は加湿することができる。さらに、ガス流の中にある液滴を容易に分離することができる。
【０１５２】
コンディショニング装置は、冷却装置と加湿装置を備えることができ、加湿装置は、コンディショニング装置の環通流の方向に対して冷却装置の下流に配置される。
【０１５３】
さらに、コンディショニング装置は、冷却装置と液滴分離装置を備えることができる。液滴分離装置は、コンディショニング装置の環通流の方向に対して冷却装置の下流に配置される。
【０１５４】
コンディショニング装置は加熱装置を備えていることが好ましかろう。このタイプの加熱装置は、例えばコンディショニング装置の環通流の方向に対して冷却装置の下流に、及び／又は加湿装置の上流に配置できると好ましかろう。
【０１５５】
さらに、コンディショニング装置は少なくとも２つの液滴分離装置を備えていることが好ましかろう。その場合、１つの液滴分離装置はコンディショニング装置の環通流の方向に対して加湿装置の上流に配置することが好ましく、別の液滴分離装置は加湿装置の下流に配置する。
【０１５６】
本発明の一実施態様では、コンディショニング装置は、液体取り扱いシステムを備えていて、その液体取り扱いシステムにより、冷却装置の表面に形成される凝縮液、及び／又は加湿装置から排出されるかガス流によって吸収されない液体を受け入れることができる。
【０１５７】
特に、液体取り扱いシステムは、回収槽を備えることができる。この回収槽は、冷却装置の下、及び／又は加湿装置の下、及び／又は液滴分離装置の下に配置されていることが好ましい。液体取り扱いシステムは、冷却装置及び／又は加湿装置及び／又は液滴分離装置のための共通の回収槽を備えていて、ガス流によって吸収されずにコンディショニング装置の中に蓄積する実質的に全ての液体をその共通の回収槽に集められることが好ましい。
【０１５８】
加湿装置によって液体を冷却装置に付着させる、特にスプレーする構成にできると好ましかろう。その結果として、ガス流が上方を流れる冷却装置の表面を液体で濡らして加湿の効率を大きくすることができる。したがって冷却装置は、相界面提供装置に追加する装置、又は相界面提供装置に代わる装置として使用できる。
【０１５９】
物質の液相から気相への転移は、特に加湿するための相界面提供装置によって容易になる。特に、液体の表面をここでは広くすることができる。
【０１６０】
例えば相界面提供装置（例えば冷却装置）を表面積が大きな編んだファブリック（例えばワイヤを編んだファブリック）によって形成し、そこに液体を付着させること（特に液体が流れるようにすること、又は液体をスプレーすること）ができる。その代わりに、又はそれに加えて、液体を例えば活性炭でできた物体に付着させ（特にその上を液体が流れるようにし、又はその表面に液体をスプレーし）、それと同時にガスにその中を通過させることで、液体のできるだけ広い面積をガス流と接触させることができる。
【０１６１】
相界面提供装置はさらに、ガス流の中の液滴を分離するという利点を提供することができる。したがって相界面提供装置は、液滴分離装置としても使用できる。
【０１６２】
冷却装置を同時に液滴分離装置としても使用できると好ましかろう。
【０１６３】
さらに、冷却装置は、コンディショニング装置の中のガス流を均一にする均一化装置として使用することができる。このタイプの均一化装置は、流れ平衡装置と呼ぶこともできる。
【０１６４】
したがって相界面提供装置及び／又は流れ平衡装置は冷却装置に統合することが好ましい。
【０１６５】
このタイプのコンディショニング装置は、このコンディショニング装置を通ってガス流が流れるときに生じる圧力損失が少ないという利点を提供することができる。
【０１６６】
さらに、このタイプのコンディショニング装置はコンパクトな構造にできるため、必要なスペースが少なくなる。
【０１６７】
こうすることで、コンディショニング装置の構成要素の数を減らすことができる。
【０１６８】
本発明は、塗装設備を操作する方法を提供するというさらに別の目的に基づいている。この方法により、塗料オーバースプレーを含む粗ガス流から塗料オーバースプレーを信頼性よく分離できる。
【０１６９】
この目的は、本発明に従い、
塗装ブースの中を移送装置によって移送方向に製作物を移送してその製作物に塗装するステップと、
塗装ブースの中で塗料オーバースプレーを吸収した粗ガス流を塗装設備の塗装ブースから分離及び／又はフィルタ・システムに供給するステップと、
分離及び／又はフィルタ・システムの少なくとも１つのフィルタ装置によってオーバースプレー粒子を含む粗ガス流から塗料オーバースプレーを分離してクリーンなガス流を得るステップを実行することによって達成される。
【０１７０】
本発明の方法は、本発明の塗装設備に関連して上に説明した特徴及び／又は利点を有することが好ましい。
【０１７１】
少なくとも一部が少なくとも１つのフィルタ装置の外側輪郭線の内側にある少なくとも１つのクリーン・ガス・ラインによってクリーンなガス流を排出できると好ましかろう。
【０１７２】
予備フィルタ材料、及び／又は予備フィルタ材料とオーバースプレー粒子の混合物を少なくとも１つの予備フィルタ材料導入機構によって離散させること、特に予備フィルタ材料、及び／又は予備フィルタ材料とオーバースプレー粒子の混合物を機械処理するための処理装置によって離散させることができると好ましかろう。
【０１７３】
粗ガス流の少なくとも一部を少なくともフィルタ装置の少なくとも１つの予備フィルタ材料収容容器の中に導入できると好ましかろう。
【０１７４】
さらに、離散状態にされた予備フィルタ材料、及び／又は離散状態にされた予備フィルタ材料とオーバースプレー粒子の混合物を粗ガス流によって運び、そのことによって粗ガス流の粗ガスと混合できると好ましかろう。
【０１７５】
特に粗ガス流からの粗ガスに予備フィルタ材料、及び／又は予備フィルタ材料とオーバースプレー粒子の混合物を混合することが、少なくとも１つのフィルタ装置の少なくとも１つの予備フィルタ材料容器に粗ガス流を導入することによって起こるときには、少なくとも１つの空気圧縮装置又はそれと同様の装置から圧縮空気を送って予備フィルタ材料を巻き上げる必要がなくなる。
【０１７６】
特に、クリーンなガス流を塗装設備の粗ガス・シャフトの下方をガイドして通過させることができる。フィルタ・システムにおける特に有利なガス流ガイド法とフィルタ・システムのコンパクトな構成が、このようにして可能になる。
【０１７７】
さらに本発明は、塗装設備の操作方法に関するものであり、この方法は、
塗装ブースの中を移送装置によって移送方向に製作物を移送してその製作物に塗装するステップと、
塗装ブースの中で塗料オーバースプレーを吸収した粗ガス流を塗装設備の塗装ブースから分離及び／又はフィルタ・システムに供給するステップと、
分離及び／又はフィルタ・システムの少なくとも１つのフィルタ装置によってオーバースプレー粒子を含む粗ガス流から塗料オーバースプレーを分離してクリーンなガス流を得るステップを含んでいる。
【０１７８】
本発明は、この点に関し、塗料オーバースプレーを含む粗ガス流から塗料オーバースプレーを信頼性よく分離できる方法を提供するという目的に基づいている。
【０１７９】
この目的は、本発明に従い、粗ガス流を少なくとも１つのフィルタ装置の少なくとも１つの入口チャネルによってガイドし、少なくとも１つのフィルタ装置の粗ガス室に入れることによって達成される。予備フィルタ材料は、少なくとも１つの予備フィルタ材料導入機構によって粗ガス流に供給される。
【０１８０】
本発明の方法は、本発明の塗装設備及び／又は上記の方法に関連して上に説明した特徴及び／又は利点を有することが好ましい。
【０１８１】
特に、予備フィルタ材料を予備フィルタ材料導入機構によって巻き上げること、及び／又は混合すること、及び／又は運ぶこと、及び／又は粉砕することができる。
【０１８２】
さらに、本発明による塗装設備、及び／又は本発明の方法は、以下に示す特徴及び／又は利点を持つことができる。
【０１８３】
塗装設備は、オーバースプレー粒子を含む粗ガス流に予備フィルタ材料（事前被覆材料とも呼ばれる）を特別に供給する供給機構の構成にされた少なくとも１つの予備フィルタ材料導入機構を有することが好ましかろう。
【０１８４】
塗装設備のフィルタ・システムは、少なくとも１つのフィルタ装置のフィルタ要素によって少なくとも１つの粗ガス室から隔てられた少なくとも１つのクリーン・ガス室を備えることが好ましい。フィルタ装置が動作している間はクリーンにされたガス流がその少なくとも１つのクリーン・ガス室の中に存在し、オーバースプレー粒子を含む粗ガス流は、粗ガス室の中に存在する。
【０１８５】
塗装設備は、少なくとも１つのガス帰還システム（例えば循環空気ガイド装置）を備えていることが好ましい。そのシステムにより、粗ガス流をクリーンにすることによって得られたクリーンなガス流の少なくとも一部を再び塗装ブースに供給することができる。
【０１８６】
塗装設備は、少なくとも一部が少なくとも１つのフィルタ装置に隣接して配置された、及び／又は少なくとも一部が実質的に鉛直方向を向いた、少なくとも１つのクリーン・ガス・ラインを備えることが好ましい。その少なくとも１つのフィルタ装置に隣接するクリーンなガスは、少なくとも１つのクリーン・ガス・ラインによって少なくとも一部を実質的に鉛直方向下方にガイドできることが好ましい。
【０１８７】
さらに、塗装設備は、（粗ガス）シャフトの下方を通過しているために塗装ブースの鉛直な長手方向中心面の一方の側から反対側にクリーンなガス流をガイドすることのできる少なくとも１つのクリーン・ガス・ラインを備えることができる。
【０１８８】
粗ガス流は、少なくとも１つのフィルタ装置の少なくとも１つの粗ガス室の中へと水平方向に対して鋭角でガイドすること、特に流入させることができると好ましい。少なくとも１つの特に可動式の構成にされたガイド要素（流れ要素）を制御及び／又は調節して粗ガス・シャフト内の粗ガス流の平均流れ方向を塗装ブースの鉛直な長手方向中心面及び／又は（空気クリーニング・システムの）フィルタ・システムの長手方向中心面に対して非対称に偏向させ、粗ガス室に好ましくは加速した状態で供給できると好ましかろう。特に、粗ガス・シャフトの上端にある粗ガス・シャフトの入口領域における粗ガス流の平均的な流れ方向がフィルタ装置の入口チャネル内の粗ガス流の平均的な流れ方向を横断するようにできる。さらに、フィルタ装置の入口チャネル内の粗ガス流の平均的な流れ方向は、塗装ブースの鉛直な長手方向中心面を横断する方向であることが好ましい。
【０１８９】
フィルタ・システムの少なくとも１つのフィルタ装置の少なくとも１つの粗ガス室において、粗ガス流及び／又は処理装置（例えば回転式混合ユニット（パドル式ミキサー、スクリュー式ミキサー））の助けを借りて、例えば樋の構成にされた予備フィルタ材料収容容器の中に入れられた予備フィルタ材料を巻き上げて粗ガス流に供給できると好ましかろう。このようにして予備フィルタ材料を含むようにされた粗ガス流は、偏向されて、鉛直上方を向いた流れ成分を持つ状態で、少なくとも１つのフィルタ装置の少なくとも１つのフィルタ要素に供給されることが好ましい。
【０１９０】
粗ガス・シャフトの下方を通過するクリーン・ガス・ラインが塗装設備の移送装置の移送方向を実質的に横断するように走っていて、特に循環空気ガイド装置の（やはりガス帰還システムの一構成要素である）クリーン・ガス回収チャネルに向かって開いており、そこからクリーンなガスを取り出して塗装ブースに供給できると好ましかろう。
【０１９１】
例えば混合ユニットの構成にされた予備フィルタ材料導入機構が実質的に水平な方向を向いた回転軸を持っていて、その回転軸のまわりを少なくとも１つの処理要素が回転し、予備フィルタ材料を、塗装設備の移送装置の移送方向と実質的に平行な方向に移送できることが好ましい。ここでは、粗ガス流を予備フィルタ材料導入機構の回転軸を横断する方向（特に回転軸に実質的に垂直）に供給することと、粗ガス・シャフトの下方を通過するクリーン・ガス・ラインも、少なくとも一部がフィルタ装置の下方（特に下）及び／又は予備フィルタ材料導入機構の下方（特に下）を走るようにすることができる。
【０１９２】
塗装設備のフィルタ・システムにより、少なくとも１つのファンを用いてフィルタ・モジュールの内の圧力を挙げられることが好ましい。
【０１９３】
特に、少なくとも１つの予備フィルタ材料導入機構が処理装置の構成にされているときには、その処理装置の少なくとも１つの処理要素によって予備フィルタ材料導入機構に隣接する出口をきれいにして予備フィルタ材料をフィルタ装置から除去することができる。そのためこの出口は詰まることがなく、特にオーバースプレー粒子を大量に含む予備フィルタ材料の排出を妨げることもない。
【０１９４】
本発明の一実施態様では、少なくとも１つの予備フィルタ材料導入機構は少なくとも１つの粉砕用ボール及び／又は少なくとも１つの粉砕板を備えることができ、それによって特に予備フィルタ材料とオーバースプレー粒子の塊を破壊することができる。
【０１９５】
フィルタ装置から予備フィルタ材料を除去するためにフィルタ装置の出口に安全装置（例えば十字形に配置された棒）が設けられていて、その出口に予備フィルタ材料とオーバースプレー粒子の大きな塊が詰まることを阻止できると好ましかろう。
【０１９６】
本発明の一実施態様では、少なくとも１つの処理装置がさまざまな処理要素（例えば離散要素及び／又は移送要素及び／又は粉砕要素及び／又は混合要素）を備えている。
【０１９７】
特に、少なくとも１つの処理装置の少なくとも１つの処理要素が少なくとも５つの面で所定の体積を取り囲んでいて、処理操作中にその中に予備フィルタ材料を受け入れるようにすることができる。そのため処理装置の処理操作中にその処理装置の中で例えば予備フィルタ材料を巻き上げることができ、所定量の予備フィルタ材料をその少なくとも１つの処理要素に捕獲させることができる。そのとき、その予備フィルタ材料がその少なくとも１つの処理要素から滑って離れることはない。
【０１９８】
少なくとも１つの処理装置は、グラインダ、及び／又は砥石、及び／又は粉砕用ボールを備えることが好ましい。これらは例えばセラミックで形成する。
【０１９９】
処理装置の一実施態様では、少なくとも１つの粉砕用ボールを高密度材料（例えば金属材料、特に鋼）で作られた自由に転がるボールの構成にする。
【０２００】
少なくとも１つの処理装置が、互いにこすれ合う砥石を有するグラインダを備えていると好ましかろう。
【０２０１】
さらに、少なくとも１つの処理装置は回転スクリュー式コンベアを備えていると好ましかろう。
【０２０２】
本発明の一実施態様では、予備フィルタ材料収容容器の中にある予備フィルタ材料の重量又は質量、又は予備フィルタ材料収容容器の中にある予備フィルタ材料と塗料オーバースプレーの混合物の重量又は質量は、計量装置によって測定することができる。
【０２０３】
この場合、計量装置は、特に、予備フィルタ材料収容容器の上部とは物理的に切り離された下部に接続することができる。
【０２０４】
さらに、予備フィルタ材料収容容器の下部とその中に含まれる材料の重量又は質量は、計量装置によって測定されることが好ましい。
【０２０５】
粗ガス流をクリーンにすることに関して予備フィルタ材料収容容器に収容された材料の利用可能性を評価するため、予備フィルタ材料収容容器からの材料を少なくとも１つの巻き上げ段階において離散させ、及び／又は巻き上げ、その予備フィルタ材料収容容器に収容された予備フィルタ材料の重量又は質量を巻き上げ段階の前後で比較することにより、その予備フィルタ材料収容容器に収容された予備フィルタ材料のクリーニング能力又はクリーニング効率を決定することができる。特に、巻き上げ段階の間にフィルタ装置の少なくとも１つのフィルタ要素に付着して保護層を形成する予備フィルタ材料の量は、このようにして明らかにできる。
【０２０６】
この効率（比吸収能）は、予備フィルタ材料がフィルタ要素に付着して塗料オーバースプレーを結合させることのできる能力の１つの指標である。
【０２０７】
このタイプの効率は、特に、巻き上げによって予備フィルタ材料収容容器に収容された予備フィルタ材料が減少した重量又は質量と、正味の巻き上げ時間の商として決定することができる。
【０２０８】
効率をより正確に決定するには、巻き上げ中断期を挟んだ複数の巻き上げ段階を含む巻き上げサイクルを実施し、それぞれのケースにおいて、巻き上げサイクルの第１の巻き上げ段階の前と、巻き上げサイクルの最後の巻き上げ段階の後に予備フィルタ材料収容容器に収容された予備フィルタ材料の重量又は質量を比較することで、有効性を決定することができる。この有効性の値が大きいほど、予備フィルタ材料収容容器からの材料が少なくとも１つのフィルタ要素の表面に保護層を形成するのにより適している。
【０２０９】
したがって、決定された効率、及び／又は重量又は質量の差が所定の最小値よりも小さくなったとき、予備フィルタ材料収容容器から材料を除去することが好ましい。
【０２１０】
除去された材料、特に予備フィルタ材料と塗料オーバースプレーの混合物は、塗料オーバースプレーを含まないか少量だけ含む新鮮な予備フィルタ材料で置き換えることが好ましい。
【０２１１】
好ましい一実施態様では、重量曲線の振幅を計量装置によって明らかにすることができる。なおその重量曲線は、予備フィルタ材料収容容器の中にある予備フィルタ材料と塗料オーバースプレーの混合物の全重量の時間変化を表わす。
【０２１２】
例えば所定の制限重量が落下したとき、及び／又は所定の制限重量を超過したとき、予備フィルタ材料とオーバースプレー粒子の混合物の少なくとも一部を予備フィルタ材料収容容器から除去して塗料オーバースプレーを含まないか少量だけ含む新鮮な予備フィルタ材料で置き換えることができる。
【０２１３】
長期にわたる予備フィルタ材料の高効率をこのようにして維持することができる。
【０２１４】
特に、予備フィルタ材料導入機構により、少なくとも１つのフィルタ装置のフィルタ動作中に、連続的な事前被覆を、すなわち粗ガス流への予備フィルタ材料の連続的な導入を実現することができる。
【０２１５】
予備フィルタ材料を離散させるために、及び／又は巻き上げるために空気圧縮装置を利用できることが好ましい。
【０２１６】
別の一実施態様では、上記の予備フィルタ材料導入機構に加えて空気圧縮装置を設けて予備フィルタ材料を混合すること、及び／又は離散させること、及び／又は巻き上げることができる。
【０２１７】
保管タンク（予備フィルタ材料収容容器）から粗ガス流に予備フィルタ材料が連続的に添加されることが好ましい。すると２つのクリーニング・プロセスの間にフィルタ・カートリッジ（フィルタ要素）上での質量の（短期間の）連続的な損失が起こる。中期の時間では、予備フィルタ材料とオーバースプレー粒子の質量の増加が予備フィルタ材料収容容器の中で起こり、特定の瞬間から再び減少も起こる。そのため予備フィルタ材料収容容器の中の予備フィルタ材料とオーバースプレー粒子の質量は、連続的に監視することが好ましい。特に、予備フィルタ材料収容容器の中にある予備フィルタ材料とオーバースプレー粒子の質量の変化を固定した時間間隔で基準値（例えば未使用の予備フィルタ材料、すなわちオーバースプレー粒子によって汚染されていない予備フィルタ材料に関する基準値）と比較する。
【０２１８】
予備フィルタ材料収容容器の中にある予備フィルタ材料とオーバースプレー粒子の混合物を流動化できるかどうかを判断できることが好ましい。その目的で、例えば予備フィルタ材料収容容器の中にある予備フィルタ材料とオーバースプレー粒子の全質量の時間変化を明らかにし、基準値と比較することができる。その場合、特に、予備フィルタ材料とオーバースプレー粒子の混合物を流動化できる能力を推定するため、クリーニングと巻き上げのサイクルにおいて起こる予備フィルタ材料収容容器の中の質量の変化を検出できねばならない。このタイプのサイクルにおける質量の差が小さすぎるというのは、フィルタ装置が信頼できるフィルタ動作をするのに必要な予備フィルタ材料の量を流動化できないことを意味する。
【０２１９】
少なくとも１つの処理装置により、予備フィルタ材料収容容器の中にある予備フィルタ材料、又は予備フィルタ材料収容容器の中にある予備フィルタ材料とオーバースプレー粒子の混合物を離散した状態（例えば流動化した状態）に維持することができる。そのため予備フィルタ材料、又は予備フィルタ材料とオーバースプレー粒子の混合物を特に容易に巻き上げて粗ガス流に供給することができる。
【０２２０】
さらに、予備フィルタ材料収容容器の中にある予備フィルタ材料、又は予備フィルタ材料収容容器の中にある予備フィルタ材料とオーバースプレー粒子の混合物は、少なくとも１つの処理装置によって巻き上げることができるため、粗ガス流によって特に容易に連れ去られ、したがって粗ガス流に取り込まれる。
【０２２１】
電動モータを用意して例えば少なくとも１つの処理装置を駆動することができる。特に少なくとも１つの処理装置の回転（処理）要素の回転速度は、このようにして特に容易に制御及び／又は調節することができる。
【０２２２】
特に、少なくとも１つの処理装置の回転速度（周波数）を制御及び／又は調節することによって導入能力に影響を与えることができる。
【０２２３】
少なくとも１つの流れガイド装置、及び／又は少なくとも１つのフィルタ装置の少なくとも１つの入口チャネルは、粗ガス流がガイドされて処理装置の領域（特に処理装置の直上）にある粗ガス室に流入するように配置されていることが好ましい。そうなっていると、処理装置が巻き上げる高さがわずかでも予備フィルタ材料を粗ガス流に供給するのに十分である。すなわち予備フィルタ材料収容容器の中にある材料が少なくとも１つの処理装置によって鉛直上方にわずかな距離しか運ばれないときでさえ、粗ガス流が、予備フィルタ材料、又は予備フィルタ材料とオーバースプレー粒子の混合物を取り込むことができる。
【０２２４】
特に少なくとも１つの処理要素が粉砕装置を備えていて、予備フィルタ材料収容容器の中にある材料（予備フィルタ材料、又は予備フィルタ材料とオーバースプレー粒子の混合物）を粉砕するときには、オーバースプレー粒子と予備フィルタ材料の塊を特に容易に粉砕して一定の粒子サイズ分布を保証することができる。
【０２２５】
その代わりに、又はそれに加えて、少なくとも１つの予備フィルタ材料導入機構は、音響装置（例えば超音波装置）を備えることができる。その音響装置により、オーバースプレー粒子と予備フィルタ材料の混合物に音で作用を及ぼすことができるため、オーバースプレー粒子と予備フィルタ材料の混合物の塊を粉末にすることができる。
【０２２６】
少なくとも１つの処理装置の少なくとも１つの処理要素は、連続操作中の摩耗をできるだけ少なくするため、金属材料を含んでいること、又は金属材料で形成されていることが好ましい。しかしその代わりに、又はそれに加えて、少なくとも１つの処理要装置の少なくとも１つの処理要素がプラスチック材料（例えば繊維強化プラスチック材料）及び／又はセラミック材料を含むようにすること、又はプラスチック材料（例えば繊維強化プラスチック材料）及び／又はセラミック材料で形成されているようにすることもできる。
【０２２７】
少なくとも１つの処理装置の少なくとも１つの処理要素として特に非金属材料を選択したときには、スパークの発生を恐れることなく、より大きな回転速度を実現できる。
【０２２８】
フィルタ装置に偶然に吸い込まれる物を捕獲するため、少なくとも１つの予備フィルタ材料導入機構には、例えば粗粒分離器（特にグリッド、磁気マトリックス、櫛）の構成にされた安全装置が設けられていると好ましかろう。そうすることで、特に処理装置を損傷から保護することができる。
【０２２９】
特に予備フィルタ材料収容容器の中にある予備フィルタ材料とオーバースプレー粒子の混合物の効率（比吸収能）が少なくとも１つの処理装置のフィルタ動作中に小さくなるときには、少なくとも１つの予備フィルタ材料収容容器を一部空にし、非常に細かい予備フィルタ材料をその中に供給することができる。例えば、中央値D５０が約１μm〜約１０μmである粒径分布を持つ予備フィルタ材料、すなわち粒子の５０％が約１μmと約１０μmの間の所定の値よりも大きく、粒子の５０％がその所定の値よりも小さい予備フィルタ材料を供給する。
【０２３０】
さらに、オーバースプレー粒子を含む予備フィルタ材料と予備フィルタ材料収容容器から排出される予備フィルタ材料を内部に保管しておくことのできる保管庫からの材料を、オーバースプレー粒子を含まない新鮮な予備フィルタ材料と混合し、再び予備フィルタ材料収容容器に供給することができる。ここではさらに、新鮮な予備フィルタ材料と、オーバースプレー粒子を含む予備フィルタ材料の混合物を処理（例えば粉砕）した後、予備フィルタ材料収容容器に供給することができる。
【０２３１】
本発明の塗装設備及び／又は本発明の方法では、フィルタ要素をさらに付加して１つのフィルタ装置の少なくともフィルタ領域を延長し、好ましくは塗装設備の移送装置の移送方向に沿って延びるフィルタ装置を一列だけを設けることで、塗装ブースから来る全ての空気（すなわち全ての粗ガス流）がその一列のフィルタ装置に供給されるようにできる。
【０２３２】
塗装設備は、“２階建て”にされた少なくとも１つのクリーン・ガス回収チャネルを備えることが好ましい。その２つの“階”は、少なくとも１つのファンによって互いに接続されていることが好ましい。そのファンは例えば軸流ファンの構成にして、２つの“階”を分離している中間の床に配置する。
【０２３３】
クリーン・ガス回収チャネルに集められた空気（クリーンなガス）は、塗装設備の移送装置の移送方向に平行にガイドされて塗装設備の端面に到達した後、少なくともほぼ鉛直上方にガイドされて、塗装ブースの関門の領域にある塗装設備のプレナムに到達する。クリーン・ガス回収チャネルによって回収されたクリーンなガスをプレナムに供給するこのタイプのチャネルは、例えば４つ以上のフィルタ装置の後ろに設けることができる。
【０２３４】
少なくとも１つのフィルタ装置は、例えば鉛直方向につり下げられたフィルタ要素を備えることが好ましい。このフィルタ要素は、塗装ブースの下方で塗装ブースの鉛直方向射影部の内側に配置されていて、フィルタ装置から取り外すことができる。
【０２３５】
塗装設備の一実施態様では、その塗装設備は、例えば少なくとも１つのフィルタ装置の上（特に上方）に配置された少なくとも１つの圧縮空気タンクを備えている。
【０２３６】
さまざまなフィルタ装置からクリーンなガスの回収チャネルにクリーンなガスを供給するさまざまなクリーン・ガス・ラインにさまざまなコンディショニング装置を設けることができると好ましかろう。その場合には、例えば少なくとも１つのフィルタ装置の少なくとも１つのクリーン・ガス・ラインには冷却装置の構成にされたコンディショニング装置を設け、別のフィルタ装置の別の少なくとも１つのクリーン・ガス・ラインには脱湿装置の構成にされたコンディショニング装置を設けることができる。塗装設備の動作に必要な熱、塗装ブースに供給すべきガス流に必要な熱は、少なくとも１つのファンによってガス流に供給されることが好ましい。すなわちこの熱は、少なくとも１つのファンによる圧縮熱から来ることが好ましい。
【０２３７】
特にさまざまなコンディショニング装置がさまざまなクリーン・ガス・ラインに設けられているときには、塗装ブースに供給するガス流に必要とされる温度及び／又は空気湿度は、さまざまなクリーン・ガス・ラインから来る条件の異なるクリーンなガス流を混合することによって得られる。
【０２３８】
少なくとも１つのフィルタ装置は少なくとも１つの漏斗を備えていることが好ましい。
【０２３９】
少なくとも１つのフィルタ装置の上を歩ける構成にされていること、すなわち人が少なくとも１つのフィルタ装置の内部に入れることが好ましい。
【０２４０】
少なくとも１つのフィルタ装置に予備フィルタ材料（例えば氷河岩粉）を供給すること、及び／又は予備フィルタ材料をフィルタ装置から廃棄できると好ましかろう。
【０２４１】
基本的に、２.５mのモジュールをフィルタ装置として用意すると、体積流を例えば約１５,０００ m３/時〜約３０,０００ m３/時にすることができる。特に、圧力１,２００ Paにおいて例えば約２２,０００ m３/時という体積流を実現し、約１,０００ Paにおいて例えば約２０,０００ m３/時という体積流を実現することができる。これは、以前から知られている２mのモジュールの体積流の実質的に２倍に対応する。
【０２４２】
本発明のさらに別の特徴又は利点は、以下の説明と実施態様の図面の対象である。
【図面の簡単な説明】
【０２４３】
【図１】塗装設備を斜めから見た模式図であり、この塗装設備をメンテナンス側から見ている。
【図２】図１の塗装設備を斜めから見た模式図であり、この塗装設備のメンテナンス側とは反対側の裏側から見ている。
【図３】図１の塗装設備のフィルタ・システムのフィルタ・モジュールを斜めから見た模式図である。
【図４】図１の塗装設備の模式的な鉛直断面図である。
【図５】図１の塗装設備のメンテナンス側の模式的な平面図である。
【図６】図１の塗装設備のフィルタ・システムのフィルタ装置の入口チャネルの模式的な断面図である。
【図７】図６の入口チャネルを斜めから見た模式図である。
【図８】図１の塗装設備のフィルタ・システムのフィルタ装置の予備フィルタ材料導入機構を斜めから見た模式図である。
【図９】図８の予備フィルタ材料導入機構の模式的な側面図であり、予備フィルタ材料導入機構を組み立てられた状態にして塗装設備のメンテナンス側を向いた側から見ている。
【図１０】図８の予備フィルタ材料導入機構を図９の線１０-１０に沿って切断した模式的な鉛直断面図である。
【図１１】予備フィルタ材料導入機構の別の一実施態様の図１０に対応する断面図であり、粉砕板を備えている。
【図１２】予備フィルタ材料導入機構のさらに別の一実施態様の図１０に対応する断面図であり、粉砕用ボールが設けられている。
【図１３】図１の塗装設備のコンディショニング装置の模式的な断面図である。
【図１４】塗装設備の別の一実施態様の図４に対応する模式的な鉛直断面図であり、コンディショニング装置がファンの下流に配置されている。
【図１５】図１４の塗装設備を上方から見た模式的な平面図である。
【図１６】塗装設備のさらに別の一実施態様を上方から見た図１５に対応する模式的な平面図であり、２つのフィルタ装置が含まれている。
【図１７】塗装設備の別の一実施態様の図１４に対応する模式的な鉛直断面図であり、クリーン・ガス・チャネルが粗ガス・シャフトを横断している。
【図１８】図１７の塗装設備の図１５に対応する模式的な平面図である。
【図１９】塗装設備のさらに別の一実施態様の図１８に対応する模式的な平面図であり、３つのフィルタ装置が含まれている。
【図２０】塗装設備のさまざまな実施態様の機能モードの模式図である。
【発明を実施するための形態】
【０２４４】
全図面を通じ、同じ要素、又は機能が同等な要素には同じ参照番号が与えられている。
【０２４５】
塗装設備の全体を参照番号１００として図１〜図１０に示してある。この塗装設備１００は、内部で製作物１０４に例えば流体塗料（特に湿った塗料）を用いて塗装することのできる塗装ブース１０２と、ガイドされてその塗装ブース１０２を通過する空気流をクリーンにすることのできるフィルタ・システム１０６を備えている。
【０２４６】
塗装ブース１０２は移送装置１０８を備えており、その移送装置１０８により、製作物１０４（例えば車体）を移送方向１１０に移送して塗装ブース１０２を通過させることができる（特に図４参照）。
【０２４７】
塗装ブース１０２の中で製作物１０４に塗装している間にオーバースプレー（例えば湿った塗料を用いるときには湿った塗料オーバースプレー）が発生する。このオーバースプレーは、ガイドされて塗装ブース１０２の中を通過する空気に吸収されるため、塗装ブース１０２を汚染させる。
【０２４８】
したがって、ガイドされて塗装ブース１０２を通過する空気からオーバースプレーを除去することのできるフィルタ・システム１０６は、塗装設備１００の塗装ブース１０２の下に配置される。
【０２４９】
以下では、オーバースプレー粒子を含んだ状態で粗ガス流としてガイドされて塗装ブース１０２を通過する空気を対象とする。
【０２５０】
塗装ブース１０２からフィルタ・システム１０６に粗ガス流を供給できるようにするため、移送方向１１０に延びる開口部１１２を塗装ブース１０２の塗装ブース基部１１１に設ける。開口部１１２は、移送方向１１０に対して垂直な水平方向で塗装ブース基部１１１の中央に配置されている。
【０２５１】
フィルタ・システム１０６の実質的に立方体形の粗ガス・シャフト１１４が、開口部１１２の下方に配置されている。
【０２５２】
フィルタ・システム１０６の粗ガス・シャフト１１４は移送方向１１０に延びるとともに鉛直方向に延びており、移送方向１１０に対して垂直な水平方向ではフィルタ・システム１０６の実質的に中央に配置されている。
【０２５３】
粗ガス・シャフト１１４の鉛直方向の上端１１６は塗装ブース１０２の開口部１１２の方を向いていて、粗ガス・シャフト１１４の流入開口部１１８を形成している。粗ガス流は、この流入開口部１１８を通って粗ガス・シャフト１１４に入ることができる。
【０２５４】
粗ガス・シャフト１１４の一端１２０（鉛直方向の下端で上端１１６の反対側に位置する）は、複数の再生可能フィルタ装置１２４の複数の入口チャネル１２２に隣接している。そのため粗ガス・シャフト１１４によって粗ガス流をフィルタ装置１２４に供給することができる。
【０２５５】
特に図４からわかるように、フィルタ・システム１０６は、塗装ブース１０２の鉛直な長手方向中心面１２６により、塗装ブース１０２の移送装置１０８の移送方向１１０に対して左側１２８と、塗装ブース１０２の移送装置１０８の移送方向１１０に対して左側１２８とは反対側に位置する右側１３０に分割することができる。
【０２５６】
フィルタ・システム１０６の左側１２８には、複数のフィルタ装置１２４が一列になって配置されている。フィルタ装置１２４は、移送方向１１０に沿って前後に配置されていて、それぞれが、粗ガス・シャフト１１４の下端１２０に隣接した入口チャネル１２２を有する。
【０２５７】
それぞれのフィルタ装置１２４はここでは実質的に立方体形であり、ハウジング１３４を備えている。このハウジング１３４は、水平方向に対して好ましくは少なくとも約８０°の角度傾いた境界壁１３２によって形成されている。この境界壁１３２が、粗ガス室１３６の範囲を定めている。
【０２５８】
各フィルタ装置１２４のハウジング１３４は、フィルタ部１３８と漏斗部１４０に分割することができる。
【０２５９】
フィルタ部１３８は実質的に立方体形であり、複数のフィルタ要素１４２を収容するのに使用される。
【０２６０】
フィルタ部１３８の下方に配置されている漏斗部１４０は実質的に三角形の断面を持っていて、粗ガス流をフィルタ要素１４２に供給することと、粗ガス流に予備フィルタ材料が豊富に含まれるようにすることに使用される。
【０２６１】
フィルタ要素１４２によって粗ガス室１３６から隔てられたクリーン・ガス室１４４が、フィルタ装置１２４のフィルタ要素１４２の上方に配置されている。
【０２６２】
フィルタ装置１２４はさらに、漏斗部１４０の下端に配置されていて予備フィルタ材料を収容するのに使用される予備フィルタ材料収容容器１４６を備えている。
【０２６３】
予備フィルタ材料を入口チャネル１２２を通じて粗ガス流の中に導入できる予備フィルタ材料導入機構１４８が、予備フィルタ材料収容容器１４６の中に配置されている。
【０２６４】
予備フィルタ材料導入機構１４８は、例えば、予備フィルタ材料収容容器１４６の中にある予備フィルタ材料を、又は予備フィルタ材料収容容器１４６の中にある予備フィルタ材料とオーバースプレー粒子の混合物を機械で処理するための処理装置１５０の構成にされている。
【０２６５】
予備フィルタ材料導入機構１４８を用いて粗ガス室１３６の中で予備フィルタ材料を巻き上げてフィルタ要素１４２の表面に堆積させることにより、保護層をフィルタ要素１４２の表面に形成することができる。
【０２６６】
フィルタ要素１４２から予備フィルタ材料の保護層を除去するため、空気圧縮装置１５２がクリーン・ガス室１４４に設けられている。この空気圧縮装置１５２により、圧縮空気をフィルタ要素１４２供給することができる。
【０２６７】
圧縮空気は、ここでは、空気圧縮装置１５２により、フィルタ装置１２４のフィルタ動作中にクリーンにすべきガスの流れ方向とは逆向きにフィルタ要素１４２に供給することができる。そのため空気圧縮装置１５２によって予備フィルタ材料の保護層をフィルタ要素１４２から特に容易に除去することができる。
【０２６８】
特に、新鮮な予備フィルタ材料をフィルタ装置１２４の漏斗部１４０に供給できるようにするため、供給装置１５４がフィルタ装置１２４の漏斗部１４０の領域に設けられている。
【０２６９】
粗ガス流をフィルタ装置１２４の粗ガス室１３６に供給するのに使用できる入口チャネル１２２には、流れガイド装置１５６が設けられている。この流れガイド装置１５６は少なくとも１つの流れ要素１５８を備えていて、フィルタ装置１２４の入口チャネル１２２を通ってガイドされる粗ガス流の流れ方向及び／又は流速に影響を与えるのに使用される。
【０２７０】
さらに、粗ガス室１３６には、別の流れガイド装置１５６が設けられている。この流れガイド装置１５６は、ガイド板の構成にされた流れ要素１５８aと、複数（例えば４つ）のロッド形流れ要素１５８b（図４参照）を備えている。流れ要素１５８bは、渦を形成するためと、粗ガス流をフィルタ要素１４２に特別なやり方で供給するために使用される。
【０２７１】
フィルタ装置１２４を用いて粗ガス流をクリーンにすることにより、クリーンなガス流を得ることができる。このクリーンなガス流は、最初にクリーン・ガス室１４４を通って流れる。
【０２７２】
クリーンなガス流をフィルタ装置１２４に隣接するクリーン・ガス室１４４から鉛直方向下方にガイドすることのできるクリーン・ガス・ライン１６０が、クリーン・ガス室１４４に隣接している。基本的に、独立した１つのクリーン・ガス・ライン１６０をそれぞれのフィルタ装置１２４に設けることができる。しかしクリーンにされたガス流が、共通する１つのクリーン・ガス・ライン１６０によって２つのフィルタ装置１２４から、特に２つのフィルタ装置１２４の間から排出されると好ましかろう。
【０２７３】
その目的でクリーン・ガス・ライン１６０は、フィルタ装置１２４の境界壁１３２と実質的に揃っていて塗装ブース１０２の鉛直な長手方向中心面１２６と少なくともほぼ平行に走る境界壁１６２を備えている。したがってクリーン・ガス・ライン１６０は、この領域においてフィルタ装置１２４から移送方向１１０に垂直な水平方向に突起することがないため、フィルタ装置１２４の外側輪郭線１６３の内側に収まる。
【０２７４】
ここでは特に、フィルタ装置１２４の外側境界壁１６４が、塗装ブース１０２の鉛直な長手方向中心面１２６から離れた位置に配置されている。離れている距離は、クリーン・ガス・ライン１６０の外側境界壁１６６が塗装ブース１０２の鉛直な長手方向中心面１２６から離れているのと少なくとも正確に同じ距離である。
【０２７５】
フィルタ装置１２４又はクリーン・ガス・ライン１６０の境界壁１３２、１６２のうちで塗装ブース１０２の鉛直な長手方向中心面１２６と向かい合っている境界壁１３２、１６２が互いに揃っていて、これら境界壁１３２、１６２によって粗ガス・シャフト１１４の実質的に平坦な境界壁１６８が形成されることが好ましい。
【０２７６】
クリーン・ガス・ライン１６０は、クリーン・ガス室１４４からフィルタ装置１２４の漏斗部１４０の下方まで延びていて、そこから粗ガス・シャフト１１４の下方において移送方向１１０に実質的に垂直な水平方向にフィルタ・システム１０６の左側１２８とは反対側のフィルタ・システム１０６の右側１３０へと進んでいる。
【０２７７】
クリーン・ガス・ライン１６０は、フィルタ・システム１０６の右側１３０に配置されたクリーン・ガス回収チャネル１７０に通じている。
【０２７８】
少なくとも１つのコンディショニング装置１７２を例えば加熱装置、及び／又は冷却装置、及び／又は加湿装置としてクリーン・ガス・ライン１６０の中に設け、クリーン・ガス・ライン１６０の中をガイドされるクリーンなガス流の状態を調節することができる。
【０２７９】
コンディショニング装置１７２の前には、すなわちクリーンなガス流の流れ方向に対して上流には、安全フィルタ１７４が配置されている。安全フィルタ１７４は、フィルタ装置１２４のフィルタ要素１４２が損傷するという望ましくない事態が起こったときに予備フィルタ材料がコンディショニング装置１７２に到達するのを阻止し、したがってコンディショニング装置１７２が損傷するのを阻止することができる。
【０２８０】
コンディショニング装置１７２によって状態を調節されたクリーンなガス流はその後、クリーン・ガス回収チャネル１７０の入口領域１７６に供給される。その入口領域１７６には、さまざまなフィルタ装置１２４の複数のクリーン・ガス・ライン１６０が通じている。
【０２８１】
クリーン・ガス回収チャネル１７０は、入口領域１７６とは別に排出領域１７８を備えている。この放出領域１７８により、クリーンにされ、状態を調節されたガス流をフィルタ・システム１０６から排出して塗装ブース１０２で再利用することができる。
【０２８２】
したがってクリーン・ガス回収チャネル１７０は２つの部分に分割されている。入口領域１７６は排出領域１７８の下方に配置されていて、水平面に沿って延びる仕切り壁１８０によって排出領域１７８から隔てられている。
【０２８３】
仕切り壁１８０には複数のファン１８２が配置されている。これらのファン１８２により、クリーンなガスをクリーン・ガス回収チャネル１７０の入口領域１７６から排出領域１７８へと移動させることができる。したがってファン１８２は、全体として、塗装設備１００の中をクリーンなガス流及び／又は粗ガス流が流れるようにしてもよい。
【０２８４】
特に図３からわかるように、フィルタ装置１２４と、クリーン・ガス・ライン１６０と、クリーン・ガス回収チャネル１７０の一部と、コンディショニング装置１７２と、安全フィルタ１７４と、粗ガス・シャフト１１４の一部を合わせてフィルタ・モジュール１８４を形成することができる。
【０２８５】
フィルタ・モジュール１８４は、ここでは特に、塗装設備１００の設置場所から離れたところで組み立てることのできる事前組み立てユニットであり、塗装設備１００を完成させるには他の構成要素（特に別の同じように形成されたフィルタ・モジュール１８４）と接続しさえすればよい。
【０２８６】
特に図６と図７からわかるように、フィルタ装置１２４の入口チャネル１２２の領域にある流れガイド装置１５６は、例えば３つの流れ要素１５８cを備えている。これらの流れ要素１５８cにより、粗ガス・シャフト１１４によって粗ガス室１３６に供給すべき粗ガス流の方向及び／又は速度を制御及び／又は調節することができる。
【０２８７】
その目的で、流れ要素１５８cは、水平方向及び／又は鉛直方向に移動すること、及び／又は回転軸１８６のまわりを回転することができる。
【０２８８】
図６と図７に示した流れガイド装置１５６の実施態様では、流れ要素１５８cは、入口チャネル１２２の領域でガイド板１８８の構成にされていて、入口チャネル１２２の境界壁１９０を形成している。
【０２８９】
例えば入口チャネル１２２の断面は、特に流れ要素１５８c相互間の相対運動によって変えることができるため、ガイドされて入口チャネル１２２を通過する粗ガス流の速度を特に調節することができる。
【０２９０】
さらに、どの地点で粗ガス流がガイドされた粗ガス室１３６の中に入るかと、ガス流がフィルタ装置１２４の漏斗部１４０にどこまで深く入るかを、流れ要素１５８cによって調節することができる。したがって予備フィルタ材料収容容器１４６から予備フィルタ材料を粗ガス流によってどれだけ巻き上げてその粗ガス流によって運ぶかも調節することができる。
【０２９１】
流れ要素１５８cが互いに取り囲む角度、及び／又は入口チャネル１２２の別の境界壁１９０となす角度、及び／又はフィルタ装置１２４の境界壁１３２となす角度、及び／又は粗ガス・シャフト１１４の境界壁１６８となす角度を変化させることにより、フィルタ装置１２４の動作中に流れ要素１５８cに沿って帰還流が変化するのを阻止又は推進することができる。
【０２９２】
帰還流を用いて予備フィルタ材料を流れ要素１５８cのうちの少なくとも１つの表面に離脱縁まで蓄積させ、少なくともその流れ要素１５８cがオーバースプレー粒子で汚染されることから保護することができる。それに対して帰還流を阻止することは、フィルタ装置１２４のメンテナンス操作にとって好ましい可能性がある。なぜならその結果として、付着している予備フィルタ材料を剥がす自動的なクリーニングが可能になり、手作業によるクリーニングが不要になるからである。
【０２９３】
少なくとも１つの流れ要素１５８cの位置及び／又は向きを変化させると、変化する流れ要素１５８cが形成される。その変化は、例えば駆動装置（図示せず、例えば電動モータ）によって可能になる。さらに、少なくとも１つの流れ要素１５８cを例えばモータによって伸長させること、及び／又は短縮することができる。
【０２９４】
ガイド板１８８の構成にされた流れ要素１５８cのうちの少なくとも１つは、フィルタ装置１２４の入口チャネル１２２を必要に応じて完全に閉じられる構成にすることが好ましい。このようにすると、特に予備フィルタ材料の帰還流が粗ガス・シャフト１１４中に入り、その後塗装ブース１０２の中に入るのを特に阻止できる。
【０２９５】
さらに、クリーニング剤及び／又は他の流体がフィルタ装置１２４の粗ガス室１３６の中に侵入するという望ましくない事態を阻止することができる。それは、例えば塗装ブース１０２の湿式クリーニング作業のとき、又は火災時にスプリンクラーを作動させるときに好ましかろう。
【０２９６】
特に、少なくとも１つの流れ要素１５８cの水平方向の変位は、フィルタ装置１２４の残りの構成要素とは独立になされることが好ましい。
【０２９７】
このようにすると、例えばフィルタ装置１２４の漏斗部１４０に対してずれた配置の流れ要素１５８により、粗ガス流がフィルタ装置１２４の漏斗部１４０の境界壁１３２に沿っては流れず、予備フィルタ材料収容容器１４６の中央（特に予備フィルタ材料導入機構１４８の中央）に直接入るようにすることができる。すると特に大量の予備フィルタ材料を受け入れてフィルタ装置１２４のフィルタ要素１４２まで運ぶことができる。
【０２９８】
図８は、塗装設備１００の予備フィルタ材料収容容器１４６と、その中に配置されている予備フィルタ材料導入機構１４８を拡大した斜視図である。
【０２９９】
図９と図１０からわかるように、予備フィルタ材料導入機構１４８は、例えば電動モータを備える駆動装置１９２を用いて回転させることのできるシャフト１９４を備えている。このシャフト１９４は、塗装設備１００の移送装置１０８の移送方向１１０と実質的に平行に延びていて、やはり塗装設備１００の移送装置１０８の移送方向１１０と平行な方向を向いた回転軸１９６のまわりを回転することができる。
【０３００】
予備フィルタ材料導入機構１４８のシャフト１９４の回転速度は、ここでは制御装置１９８によって制御及び／又は調節される。
【０３０１】
例えばパドル２０２の構成にされた多数の処理要素２００が予備フィルタ材料導入機構１４８のシャフト１９４に取り付けられているため、予備フィルタ材料導入機構１４８はパドル式ミキサー２０４と呼ぶことができる。
【０３０２】
予備フィルタ材料導入機構１４８は、予備フィルタ材料収容容器１４６の中にある予備フィルタ材料を、又は予備フィルタ材料収容容器１４６の中にある予備フィルタ材料とオーバースプレー粒子の混合物を機械で処理するための処理装置１５０である。
【０３０３】
処理装置１５０は、ここでは予備フィルタ材料収容容器１４６の中にある予備フィルタ材料を移送するのに用いられる。したがって処理装置１５０の処理要素２００は移送要素２０６である。
【０３０４】
さらに、処理装置１５０の処理要素２００は、予備フィルタ材料、又は予備フィルタ材料とオーバースプレー粒子の混合物を巻き上げるのに使用される。そのため処理装置１５０の処理要素２００は、離散要素２０８を形成する。
【０３０５】
最後に、処理装置１５０の処理要素２００は、予備フィルタ材料収容容器１４６の中にある予備フィルタ材料を、又は予備フィルタ材料収容容器１４６の中にある予備フィルタ材料とオーバースプレー粒子の混合物を混合するのにも使用される。そのため処理装置１５０の処理要素２００は混合要素２１０も形成する。
【０３０６】
基本的に、処理装置１５０の処理要素２００は、仕事に応じて異なる形態を持つことができる。
【０３０７】
しかし図８〜図１０に示した予備フィルタ材料導入機構１４８の実施態様では、処理要素２００は実質的に同じ形態にされている。
【０３０８】
処理装置１５０の中で予備フィルタ材料導入機構１４８の回転軸１９６に対する処理要素２００の方向だけが、全ての処理要素２００で同じにはなっていない。そうではなく、処理要素２００の処理領域２１２は、シャフト１９４、したがって処理要素２００が回転軸１９６のまわりを回転することによって、予備フィルタ材料収容容器１４６の中にある予備フィルタ材料を、又は予備フィルタ材料収容容器１４６の中にある予備フィルタ材料とオーバースプレー粒子の混合物を、予備フィルタ材料収容容器１４６の実質的に中央に配置された予備フィルタ材料収容容器１４６の出口２１４まで運ぶことができるよう、予備フィルタ材料導入機構１４８の回転軸１９６に対して回転した配置にされている。
【０３０９】
予備フィルタ材料、又は予備フィルタ材料とオーバースプレー粒子の混合物は、予備フィルタ材料収容容器１４６の出口２１４を通じて予備フィルタ材料収容容器１４６から除去することができる。これは特に、予備フィルタ材料、又は予備フィルタ材料とオーバースプレー粒子の混合物の比吸収能（予備フィルタ材料が、又は予備フィルタ材料とオーバースプレー粒子の混合物がまだどれだけの量のオーバースプレーを吸収できるかの１つの指標）がもはや十分ではなく、フィルタ装置１２４が信頼のあるフィルタ動作をしなくなったときに起こる。
【０３１０】
予備フィルタ材料、又は予備フィルタ材料とオーバースプレー粒子の混合物が排出されるときに例えば塊が形成されることが原因で出口２１４に引っ掛かるのを避けるため、出口２１４に、例えば２本の棒２１８が十字形に配置された安全装置２１６を設ける。安全装置２１６は、特に、予備フィルタ材料と塗料オーバースプレーの過度に大きな塊が出口２１４に到達して塞ぐのを阻止することができる。
【０３１１】
特に図１０からわかるように、予備フィルタ材料収容容器１４６は、圧縮空気を出口２１４に供給できる圧縮空気接続部２２０をさらに備えている。この圧縮空気接続部２２０を用いると、出口２１４の閉塞物を除去するとともに、出口２１４を通じて予備フィルタ材料、又は予備フィルタ材料とオーバースプレー粒子の混合物を排出することができる。
【０３１２】
上記の塗装設備１００は以下のように機能する。
【０３１３】
塗装設備１００の塗装ブース１０２では、製作物１０４が移送装置１０８によって移送方向１１０に運ばれ、塗装ロボット（図示せず）によって塗装される。
【０３１４】
ガイドされて塗装ブース１０２を通過する空気流には、そのことによってオーバースプレーが含まれるようになり、オーバースプレーとともに粗ガス流として粗ガスシャフト１１４によってフィルタ・システム１０６に供給される。粗ガスシャフト１１４は、粗ガス流をフィルタ装置１２４までガイドする。
【０３１５】
その後、粗ガス流は、入口チャネル１２２からフィルタ装置１２４の粗ガス室１３６全体に分布する。
【０３１６】
フィルタ装置１２４の流れガイド装置１５６を用いて粗ガス流を特に粗ガス室１３６に供給する。予備フィルタ材料収容容器１４６と、その中に配置されている予備フィルタ材料導入機構１４８への粗ガス流の供給は、特に、調節可能な流れ要素１５８によってなされる。
【０３１７】
その結果として、予備フィルタ材料を粗ガス流によって予備フィルタ材料収容容器１４６から巻き上げて粗ガス流の中に取り込むことができる。
【０３１８】
粗ガス流の中に存在するオーバースプレー粒子は、粗ガス室１３６を通過して流れる間に予備フィルタ材料粒子の表面にすでに蓄積する。その後、その塊と、予備フィルタ材料粒子の表面にまだ蓄積していないオーバースプレー粒子は、フィルタ装置１２４のフィルタ要素１４２に供給され、その場所で、予備フィルタ材料から形成された保護層の表面に堆積する。
【０３１９】
したがってオーバースプレー粒子を含んでいない粗ガス流はクリーンなガス流としてクリーン・ガス・ライン１６０によってクリーン・ガス室１４４からクリーン・ガス回収チャネル１７０へとガイドされ、ここではコンディショニング装置１７２によって状態が調節（例えば加熱、冷却、加湿、脱湿）される。
【０３２０】
さまざまなフィルタ装置１２４からのクリーンなガス流は、クリーン・ガス回収チャネル１７０の入口領域１７６の中ですでに混じり合う。
【０３２１】
その後、クリーンなガスは、クリーン・ガス回収チャネル１７０の仕切り壁１８０にあるファン１８２によってクリーン・ガス回収チャネル１７０の放出領域１７８に供給され、次いで循環空気ガイド装置（図示せず）によって塗装設備１００の塗装ブース１０２に供給される。
【０３２２】
特に、ガス流が繰り返しガイドされて塗装ブース１０２の中を通過するこのタイプの空気循環操作中、流れガイド装置１５６によって粗ガス室１３６への粗ガスの供給に影響を与えることで、フィルタ装置１２４の粗ガス流を粗ガス・シャフト１１４の中の粗ガス流の瞬間的な体積流に適合させることができる。
【０３２３】
少なくとも１つの調節可能な流れ要素１５８が特にこの目的に合っている。
【０３２４】
特に、少なくとも１つの調節可能な流れ要素１５８が、回転軸１８６のまわりを回転する構成にされていて、入口チャネル１２２をガイドされて通過する粗ガス流にとってその流れ要素１５８を静止位置（例えばその流れ要素１５８が鉛直方向を向いている位置）から偏向させることのできる質量を有すると好ましかろう。
【０３２５】
すると流れ要素１５８は、入口チャネル１２２を通過して流れる粗ガス流によって自動的に移動するため、入口チャネル１２２の断面は、独立した制御なしに粗ガス流の現在優勢な体積流に自動的に適合する。
【０３２６】
その結果として、特に、予備フィルタ材料収容容器１４６からの予備フィルタ材料の好ましい巻き上げと、粗ガス室１３６を通過する好ましい流れを実現できるため、粗ガス流からオーバースプレー粒子が信頼性よく分離される。
【０３２７】
予備フィルタ材料収容容器１４６の中にある予備フィルタ材料、又は予備フィルタ材料とオーバースプレー粒子の混合物は、処理装置１５０の構成にされた予備フィルタ材料導入機構１４８を用い、処理装置１５０の処理要素２００をシャフト１９４によって回転軸１９６のまわりに回転させることによって混合し、かつ巻き上げると同時に、予備フィルタ材料収容容器１４６の出口２１４まで運ぶ。
【０３２８】
予備フィルタ材料収容容器１４６の中にある予備フィルタ材料、又は予備フィルタ材料とオーバースプレー粒子の混合物を混合することにより、粗ガス流に一定の品質（特に一定の比吸収能）の予備フィルタ材料を供給することを保証できる。
【０３２９】
予備フィルタ材料、又は予備フィルタ材料とオーバースプレー粒子の混合物を巻き上げることにより、十分な量の予備フィルタ材料を常に粗ガス流に供給することを保証できる。
【０３３０】
予備フィルタ材料、又は予備フィルタ材料とオーバースプレー粒子の混合物を予備フィルタ材料収容容器１４６の出口２１４に運ぶことにより、オーバースプレー粒子で過度に汚染された予備フィルタ材料を容易に出口２１４に供給できるため、予備フィルタ材料収容容器１４６からこの出口２１４を通じて除去することができる。
【０３３１】
特に予備フィルタ材料が予備フィルタ材料収容容器１４６から除去されたとき、オーバースプレー粒子を含んでいない新鮮な予備フィルタ材料を供給装置１５４によってフィルタ装置１２４の漏斗部１４０に供給し、したがって予備フィルタ材料収容容器１４６に供給することができる。
【０３３２】
図１１に示した予備フィルタ材料導入機構１４８の別の一実施態様は、移送要素２０６と離散要素２０８と混合要素２１０を同時に形成している処理要素２００に加え、粉砕板２２２が設けられている点が、図１〜図１０に示した実施態様とは実質的に異なっている。粉砕板２２２により、予備フィルタ材料とオーバースプレー粒子の塊を破壊し、したがって予備フィルタ材料とオーバースプレー粒子の混合物の平均粒径を小さくすることができる。
【０３３３】
粉砕板２２２は、例えばシャフト１９４に対して中心をずらして取り付けた円板である。
【０３３４】
処理装置１５０の追加処理要素２００として粉砕板２２２を用いることにより、予備フィルタ材料とオーバースプレー粒子の混合物をより長期間にわたってフィルタ装置１２４のフィルタ操作に使用することができる。
【０３３５】
他の点に関しては、図１１に示した予備フィルタ材料導入機構１４８の実施態様は構造と機能が図１〜図１０に示した実施態様と一致しているため、その範囲では上記の説明を参照することができる。
【０３３６】
図１２に示したさらに別の予備フィルタ材料導入機構１４８は、図１１に示した実施態様とは、予備フィルタ材料とオーバースプレー粒子の塊を小さくするために粉砕板２２２は設けられていないが、シャフト１９４に接続されていない粉砕用ボール２２４が設けられているという点が異なっている。粉砕用ボール２２４は、予備フィルタ材料収容容器１４６の中で処理装置１５０の処理要素２００がシャフト１９４の回転軸１９６のまわりを回転することによって前後に移動する。そのため予備フィルタ材料とオーバースプレー粒子の混合物を機械処理することの望ましい効果が、粉砕用ボール２２４の破壊作用によって発生する。
【０３３７】
他の点に関しては、図１２に示した予備フィルタ材料導入機構１４８の実施態様は構造と機能が図１〜図１０に示した実施態様と一致しているため、その範囲では上記の説明を参照することができる。
【０３３８】
図１３に示したコンディショニング装置１７２の一実施態様は、１つの冷却装置２３０と、２つの液滴分離装置２３２と、１つの加湿装置２３４を備えている。
【０３３９】
冷却装置２３０と、一方の液滴分離装置２３２と、加湿装置２３４と、他方の液滴分離装置２３２は、コンディショニング装置１７２の貫通流の方向２４０に対して互いに前後に配置されている。
【０３４０】
回収槽３２６が、重力の方向２３８に対して冷却装置２３０と液滴分離装置２３２と加湿装置２３４の下に配置されている。
【０３４１】
コンディショニング装置１７２の動作中に冷却装置２３０の中に蓄積する凝縮液と、液滴分離装置２３２によって分離された液滴と、加湿装置２３４から放出されるがガス流には吸収されない液体を、回収槽３２６によって回収することができる。
【０３４２】
したがって回収槽３２６は、コンディショニング装置１７２のあらゆるコンディショニング要素のための共通の回収槽３２６である。
【０３４３】
したがってコンディショニング装置１７２は、このコンディショニング装置１７２の動作中に蓄積する液体や使用された液体を取り扱うための共通の液体取り扱いシステム２４２を備えていて、このシステムに回収槽３２６が含まれている。
【０３４４】
図１３に示したコンディショニング装置１７２は以下のように機能する。
【０３４５】
ガス流がコンディショニング装置１７２の中を貫通流の方向２４０に通過するとき、ガス流は冷却装置２３０によって冷却される。ここで凝縮液が形成される可能性があり、それが冷却装置２３０に沿って重力の方向２３８に下方へと流れ、回収槽２３６の中に入る。
【０３４６】
冷却装置２３０によって冷却されたガス流は、その後、ガス流に含まれる液滴を分離できるよう、ガイドされて第１の液滴分離装置２３２を通過する。
【０３４７】
重力の方向２３８に下方へと流れて回収槽２３６の中に入る液体もここに回収される。
【０３４８】
ガス流は、貫通流の方向２４０で第１の液滴分離装置２３２の下流に配置された加湿装置２３４によって加湿される。例えば液体をガス流の中にスプレーする。ガス流によって吸収されない液体も回収槽２３６の中に回収される。
【０３４９】
貫通流の方向２４０で加湿装置２３４の下流に配置された別の液滴分離装置２３２を再度用いてガス流から液滴を分離する。重力の方向２３８に下方に流れて回収槽３２６の中に入る液滴も、コンディショニング装置１７２の動作中にこの液滴分離装置２３２に回収される。
【０３５０】
したがってコンディショニング装置１７２の動作中に蓄積する液体や使用された液体は全て、回収槽２３６に回収することができる。したがって回収槽２３６は、コンディショニング装置１７２の共通の液体取り扱いシステム２４２の一構成要素を形成する。
【０３５１】
コンディショニング装置１７２のさらに別の一実施態様（図示せず）では、加湿装置２３４は、冷却装置２３０のすぐ下流に配置される。冷却装置２３０は、ここでは加湿装置２３４によって液体で湿らせることもできる。その結果として、ガイドされてコンディショニング装置１７２を通過するガス流に加湿している間のコンディショニング装置１７２の効率を大きくすることができる。
【０３５２】
コンディショニング装置１７２の上記の実施態様は、特に塗装設備１００で、その中でも特に塗装設備１００のフィルタ・システム１０６（例えばフィルタ・システム１０６のフィルタ・モジュール１８４）で利用するのに適している。
【０３５３】
図１４と図１５に示した塗装設備１００の別の一実施態様は、図１〜図１３に示した実施態様とは、コンディショニング装置１７２がクリーンなガス流の流れ方向に対してファン１８２の下流に配置されている点が実質的に異なっている。
【０３５４】
コンディショニング装置１７２は、特に、ここではクリーン・ガス回収チャネル１７０の仕切り壁１８０の上方に配置されている。
【０３５５】
図１４と図１５に示した塗装設備１００の実施態様のフィルタ・システム１０６は、塗装設備１００を載せる基部２４４から、塗装ブース１０２をフィルタ・システム１０６から隔てているグリッド面２４６までの高さHが、約６mであることが好ましい。フィルタ・システム１０６の幅Bは約５mであることが好ましい。
【０３５６】
特に図１５からわかるように、図１４と図１５に示した塗装設備１００の実施態様では、フィルタ・システム１０６は４つのフィルタ装置１２４を備えている。
【０３５７】
個々のフィルタ装置１２４のクリーン・ガス・ライン１６０は、クリーン・ガス回収チャネル１７０の仕切り壁１８０の下方でクリーン・ガス回収チャネル１７０に通じており、ファン１８２によってガイドされてクリーン・ガス回収チャネル１７０の仕切り壁１８０の上方の領域に入る。その目的でファン１８２は、駆動手段２４９によって駆動できる羽根車２４７を備えている。
【０３５８】
ファン１８２の羽根車２４７の回転軸は、塗装ブース１０２の長手方向及び／又は移送方向１１０に対して実質的に水平な横断方向（垂直な方向が好ましい）を向けることができる。
【０３５９】
羽根車２４７の駆動手段２４９は、ファン１８２の横方向隣の位置（羽根車２４７の横方向隣が好ましい）で、塗装ブース１０２の長手方向に垂直な、及び／又は移送方向１１０に垂直な横断方向に配置することができる。
【０３６０】
羽根車２４７の駆動手段２４９は、少なくとも一部（実質的に全部が好ましい）を塗装ブース１０２の基部領域の外部、又は塗装ブース１０２の基面の鉛直方向射影部の外側に配置することができる。
【０３６１】
しかしファン１８２の羽根車２４７の回転軸は、異なる方向、例えば塗装ブース１０２の長手方向及び／又は移送方向１１０に対して実質的に水平かつ実質的に平行な方向に向けることもできる。さらに、羽根車２４７の回転軸は、実質的に鉛直な方向に向けることもできる。
【０３６２】
羽根車２４７の駆動手段２４９は、塗装ブース１０２の長手方向及び／又は移送方向１１０でファン１８２の前又は後に配置することができる。
【０３６３】
羽根車２４７の駆動手段２４９は、鉛直方向でファン１８２の下又は上に配置することもできる。
【０３６４】
羽根車２４７の駆動手段２４９は、少なくとも一部（実質的に全部が好ましい）を塗装ブース１０２の基部領域の内部、又は塗装ブース１０２の基面の鉛直方向射影部の内側に配置することができる。
【０３６５】
クリーン・ガス回収チャネル１７０の中をガイドされるクリーンなガス流を調節できるコンディショニング装置１７２は、クリーン・ガス回収チャネル１７０の仕切り壁１８０の上方の領域に配置される。
【０３６６】
図１４と図１５の実施態様によれば、塗装設備１００のフィルタ・システム１０６の全長Lは例えば約１０mである。
【０３６７】
他の点に関しては、図１４と図１５に示した塗装設備１００の実施態様は構造と機能が図１〜図１３に示した塗装設備１００と一致しているため、その範囲では上記の説明を参照する。
【０３６８】
図１６に示した塗装設備１００の別の一実施態様は、図１４と図１５に示した実施態様とは、フィルタ装置１２４が２つだけであって塗装設備１００のフィルタ・システム１０６の長さLが約６mである点が、実質的に異なっている。
【０３６９】
他の点に関しては、図１６に示した塗装設備１００の別の一実施態様は構造と機能が図１４と図１５に示した実施態様と一致しているため、その範囲では上記の説明を参照する。
【０３７０】
図１７と図１８に示した塗装設備１００のさらに別の一実施態様は、図１４と図１５に示した実施態様とは、フィルタ装置１２４のクリーン・ガス・ライン１６０が、フィルタ装置１２４のクリーン・ガス室１４４から出て、移送装置１０８の移送方向１１０に対して実質的に水平かつ実質的に垂直な方向にガイドされ、クリーン・ガス回収チャネル１７０に到達する点が、実質的に異なっている。
【０３７１】
したがってクリーン・ガス・ライン１６０は、図１７と図１８に示した塗装設備１００の実施態様では、粗ガス・シャフト１１４の下方には配置されていない。
【０３７２】
そうではなく、クリーン・ガス・ライン１６０は、粗ガス・シャフト１１４の上端１１６の領域で粗ガス・シャフト１１４を横断する。
【０３７３】
粗ガス・シャフト１１４を横断するクリーン・ガス・ライン１６０は、粗ガス・シャフト１１４の内側に配置された部分を備えていて、さらに、粗ガス・シャフト１１４の外側に配置された１つ以上の部分を備えることができる。
【０３７４】
クリーン・ガス・ライン１６０は、ここでは、クリーン・ガス回収チャネル１７０の中の仕切り壁１８０の上方に配置された領域に通じている。
【０３７５】
しかしクリーン・ガス・ライン１６０のうちの少なくとも１つは、好ましくは塗装ブース基部１１１の下方で、粗ガス・シャフト１１４の下端１２０と上端１１６の間、又は粗ガス・シャフト１１４の上方の別の地点に配置することもできる。
【０３７６】
クリーン・ガス回収チャネル１７０の仕切り壁１８０の上方領域で回収されたクリーンなガス流は、ファン１８２によってクリーン・ガス回収チャネル１７０の仕切り壁１８０の下方領域に運ばれる。
【０３７７】
コンディショニング装置１７２は、クリーン・ガス回収チャネル１７０の中で仕切り壁１８０の下方に配置されているため、クリーン・ガス回収チャネル１７０の仕切り壁１８０の下方をガイドされるクリーンなガス流は、コンディショニング装置１７２によって状態を調節することができる。
【０３７８】
特に図１８からわかるように、図１７と図１８に示した塗装設備１００の実施態様では、５つのフィルタ装置１２４が設けられている。
【０３７９】
他の点に関しては、図１７と図１８に示した塗装設備１００の実施態様は構造と機能が図１４と図１５に示した塗装設備１００と一致しているため、その点に関しては上記の説明を参照する。
【０３８０】
図１９に示した塗装設備１００のさらに別の一実施態様は、図１７と図１８に示した実施態様とは、フィルタ装置１２４が３つだけ設けられている点が実質的に異なっている。
【０３８１】
塗装設備１００のフィルタ・システム１０６の長さLはここでは約６mである。
【０３８２】
他の点に関しては、図１９に示した塗装設備１００の実施態様は構造と機能が図１７と図１８に示した塗装設備１００と一致しているため、その点に関しては上記の説明を参照する。
【０３８３】
図２０は、塗装設備１００のさまざまな実施態様の動作モードを示す模式図である。
【０３８４】
塗装設備１００を動作させるのに必要な空気は循環空気ガイドの中をガイドされる。
【０３８５】
空気は最初に塗装設備１００のプレナム２４８をクリーンなガス流としてガイドされて通過し、塗装ブース１０２の中に入る。
【０３８６】
製作物１０４が塗装ブース１０２の中で塗装されるため、クリーンなガス流に塗料オーバースプレーが含まれることになる。
【０３８７】
そのために汚染されたガス流は、粗ガス流としてフィルタ・システム１０６へと流れ、そこで湿った塗料オーバースプレーを除去されるため、再びクリーンなガス流が得られる。
【０３８８】
クリーニングは、ここでは例えば３つのフィルタ装置１２４によってなされる。
【０３８９】
得られたクリーンなガス流は、クリーン・ガス・ライン１６０によってクリーン・ガス回収チャネル１７０に供給される。
【０３９０】
回収されたクリーンなガス流は最終的に１つ又は２つのクリーン・ガス回収チャネル１７０によってコンディショニング装置１７２に供給されて状態を調節され、プレナム２４８によって塗装設備１００の塗装ブース１０２に再び供給することができる。
【０３９１】
フィルタ装置１２４が損傷したときに予備フィルタ材料がコンディショニング装置１７２に侵入するのを阻止するため、少なくとも１つの安全フィルタ１７４を設置する。
【０３９２】
安全フィルタ１７４は、その機能のために監視フィルタと呼ぶこともでき、特にフィルタが破れたときの安全のために使用する。
【０３９３】
基本的に、安全フィルタ１７４は、それぞれのクリーン・ガス・ライン１６０に配置することができる。安全フィルタ１７４は、ここでは塗装設備１００の鉛直な長手方向中央面１２６に対してフィルタ装置１２４の側、すなわち鉛直な長手方向中央面１２６の交差部２５０の前に配置すること、又はクリーン・ガス回収チャネル１７０の側、すなわち鉛直な長手方向中央面１２６の交差部２５０の後ろに配置することができる。
【０３９４】
その代わりに、又はそれに加えて、少なくとも１つの安全フィルタ１７４をクリーン・ガス回収チャネル１７０の中に配置することができる。
【０３９５】
安全フィルタ１７４は、ここでは、クリーン・ガス回収チャネル１７０の構成に応じ、塗装設備１００の鉛直な長手方向中央面１２６の交差部２５０の前又は後ろに配置することができる。
【０３９６】
特に、塗装設備１００が、チャネル部品又は接続用開口部の構成にできるチャネル接続部２５２を備えている場合には、安全フィルタ１７４をチャネル接続部２５２の前又は後ろに配置することができる。
【０３９７】
チャネル接続部２５２は、ここでは、鉛直な長手方向中央面１２６の交差部２５０の前又は後ろに配置することができる。
【０３９８】
“前”と“後ろ”の詳細は、ここでは、クリーンなガス流又は粗ガス流の流れ方向と常に関係している。
【０３９９】
空気流、特にクリーンなガス流と粗ガス流を流すため、例えばクリーン・ガス回収チャネル１７０の中に共通のファン１８２を設置することができる。
【０４００】
その代わりに、又はそれに加えて、鉛直な長手方向中央面１２６の交差部２５０内のチャネル接続部２５２の中、及び／又はクリーン・ガス・ライン１６０の中にファン１８２を配置することができる。特に、それぞれのクリーン・ガス・ライン１６０の中にファン１８２を配置することができる。
【０４０１】
コンディショニング装置１７２は、クリーンなガス流全体の状態を調節するためにクリーン・ガス回収チャネル１７０の中に配置することができる。
【０４０２】
その代わりに、又はそれに加えて、コンディショニング装置１７２はそれぞれのクリーン・ガス・ライン１６０の中に配置することができる。
【０４０３】
特に複数のコンディショニング装置１７２が設けられている場合には、それぞれのコンディショニング装置１７２がガス流の全てのパラメータを調節すること、すなわちガス流の特に温度と空気湿度を調節することができる。その代わりに、コンディショニング装置１７２によってさまざまなパラメータを調節してもよい。これは、例えば加湿プロセスをコンディショニング装置１７２によって実施し、クリーンなガス流の加熱を別のコンディショニング装置１７２によって実施することを意味する。クリーンなガス流をクリーン・ガス回収チャネル１７０に供給することにより、空気流全体の状態が完全に調節されることが好ましい。
【０４０４】
特に塗装設備１００がチャネル接続部２５２を備えているとき、フィルタ・システム１０６が、２つのクリーン・ガス回収チャネル１７０、すなわちチャネル接続部２５２の前のクリーン・ガス回収チャネル１７０と、チャネル接続部２５２の後ろのクリーン・ガス回収チャネル１７０を備えるようにできる。
【図１】
0005581450.tif 000002
【図２】
0005581450.tif 000003
【図３】
0005581450.tif 000004
【図４】
0005581450.tif 000005
【図５】
0005581450.tif 000006
【図６】
0005581450.tif 000007
【図７】
0005581450.tif 000008
【図８】
0005581450.tif 000009
【図９】
0005581450.tif 000010
【図１０】
0005581450.tif 000011
【図１１】
0005581450.tif 000012
【図１２】
0005581450.tif 000013
【図１３】
0005581450.tif 000014
【図１４】
0005581450.tif 000015
【図１５】
0005581450.tif 000016
【図１６】
0005581450.tif 000017
【図１７】
0005581450.tif 000018
【図１８】
0005581450.tif 000019
【図１９】
0005581450.tif 000020
【図２０】
0005581450.tif 000021